【事件の表示】
　特許第６６１１８２７号発明「空気調和装置」の特許異議申立事件について、次のとおり決定する。
【結　論】
　特許第６６１１８２７号の明細書、特許請求の範囲を訂正請求書に添付された訂正明細書、特許請求の範囲のとおり、訂正後の請求項〔１、２、５−７〕、３、４について訂正することを認める。
　特許第６６１１８２７号の請求項１、２、５ないし７に係る特許を取り消す。
【理　由】
第１　手続の経緯
　特許第６６１１８２７号（以下、「本件特許」という。）の請求項１〜７に係る特許についての出願は、２０１６年２月１日を国際出願日とする出願であって、令和元年１１月８日にその特許権の設定登録がされ、令和元年１１月２７日に特許掲載公報が発行され、その後、その請求項１、２，５〜７に係る特許に対して、令和２年５月２７日に特許異議申立人岩崎精孝（「崎」のつくりの一部は「大」ではなく「立」。以下、「異議申立人」という。）により特許異議の申立てがされ、令和２年７月３０日付けで取消理由が通知され、その指定期間内である令和２年１０月２日に意見書の提出及び訂正の請求があり、その訂正の請求に対して令和２年１１月２５日に異議申立人から意見書が提出され、令和３年１月１５日付けで取消理由（決定の予告）が通知され、その指定期間内である令和３年３月８日に意見書の提出及び訂正の請求があり、その訂正の請求に対して令和３年４月８日に異議申立人から意見書が提出されたものである。
　なお、令和３年３月８日に訂正の請求がなされたため、特許法第１２０条の５第７項の規定により、令和２年１０月２日の訂正の請求は取り下げられたものとみなす。
第２　訂正の適否についての判断
１　訂正の内容
　令和３年３月８日の訂正の請求による訂正（以下、「本件訂正」という。）は、本件特許の明細書、特許請求の範囲を、訂正請求書に添付した訂正明細書、特許請求の範囲のとおり、訂正後の請求項１〜７について訂正することを求めるものであって、その内容は以下のとおりである（下線は、特許権者が付与。以下同様。）。
（１）訂正事項１
　特許請求の範囲の請求項１の「ベルマウス部とを具備し、」の後に「
前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され、
（２）訂正事項２
　特許請求の範囲の請求項３を、請求項１を引用するものについて、独立形式に改め、
「
ファンと、前記ファンを収容し、空気を給気する吸込口及び前記吸込口から給気された前記空気を吹き出す吹出口が形成されたファンケーシングと、前記ファンによって流動する前記空気が通過する熱交換器と、前記空気の吹出部及び吸込部が形成され、前記ファンを収容した前記ファンケーシング及び前記熱交換器が内部に設けられた筐体と、を有し、前記ファンケーシングは、前記筐体に固定されるケーシング本体部と、前記ケーシング本体部に固定されるケーシング分割部と、前記ケーシング本体部及び前記ケーシング分割部によって形成される前記吸込口に配設された一体成形品であるベルマウス部とを具備し、前記ベルマウス部は、前記ケーシング本体部と前記ケーシング分割部との接合面の少なくとも一部を塞ぐものであり、
い、
（３）訂正事項３
　特許請求の範囲の請求項４を、請求項１を引用するものについて、独立形式に改め、
「
ファンと、前記ファンを収容し、空気を給気する吸込口及び前記吸込口から給気された前記空気を吹き出す吹出口が形成されたファンケーシングと、前記ファンによって流動する前記空気が通過する熱交換器と、前記空気の吹出部及び吸込部が形成され、前記ファンを収容した前記ファンケーシング及び前記熱交換器が内部に設けられた筐体と、を有し、前記ファンケーシングは、前記筐体に固定されるケーシング本体部と、前記ケーシング本体部に固定されるケーシング分割部と、前記ケーシング本体部及び前記ケーシング分割部によって形成される前記吸込口に配設された一体成形品であるベルマウス部とを具備し、前記ベルマウス部は、前記ケーシング本体部と前記ケーシング分割部との接合面の少なくとも一部を塞ぐものであり、
い、
（４）訂正事項４
　特許請求の範囲の請求項５を、請求項２を引用するものについて、独立形式に改め、「前記ケーシング本体部に前記吹出口」と記載されているのを「前記ケーシング本体部
の上部
　さらに、請求項５において、「二箇所」と記載されているのを、「
第一接合部及び第二接合部の
前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され、
り、前記接合部のうち、前記第二接合部は、前記吸込み口の下部に設けられ、前記第一接合部は前記吹出口の近傍であり、前記吸込み口の上部に設けられ、前記第二接合部よりも前記吹出口に近い位置に設けられる
「
ファンと、前記ファンを収容し、空気を給気する吸込口及び前記吸込口から給気された前記空気を吹き出す吹出口が形成されたファンケーシングと、前記ファンによって流動する前記空気が通過する熱交換器と、前記空気の吹出部及び吸込部が形成され、前記ファンを収容した前記ファンケーシング及び前記熱交換器が内部に設けられた筐体と、を有し、前記ファンケーシングは、前記筐体に固定されるケーシング本体部と、前記ケーシング本体部に固定されるケーシング分割部と、前記ケーシング本体部及び前記ケーシング分割部によって形成される前記吸込口に配設された一体成形品であるベルマウス部とを具備し、前記ベルマウス部は、前記ケーシング本体部と前記ケーシング分割部との接合面の少なくとも一部を塞ぐものであり、前記ケーシング本体部に前記吹出口が形成され、
第一接合部及び第二接合部の
前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され、
り、前記接合部のうち、前記第二接合部は、前記吸込み口の下部に設けられ、前記第一接合部は前記吹出口の近傍であり、前記吸込み口の上部に設けられ、前記第二接合部よりも前記吹出口に近い位置に設けられる、
（５）訂正事項５
　明細書の段落［０００８］に「本発明に係る空気調和装置は、ファンと、前記ファンを収容し、空気を給気する吸込口及び前記吸込口から給気された前記空気を吹き出す吹出口が形成されたファンケーシングと、前記ファンによって流動する前記空気が通過する熱交換器と、前記空気の吹出部及び吸込部が形成され、前記ファンを収容した前記ファンケーシング及び前記熱交換器が内部に設けられた筐体と、を有し、前記ファンケーシングは、前記筐体に固定されるケーシング本体部と、前記ケーシング本体部に固定されるケーシング分割部と、前記ケーシング本体部及び前記ケーシング分割部によって形成される前記吸込口に配設された一体成形品であるベルマウス部とを具備し、前記ベルマウス部は、前記ケーシング本体部と前記ケーシング分割部との接合面の少なくとも一部を塞ぐものである。」と記載されているのを、「本発明に係る空気調和装置は、ファンと、前記ファンを収容し、空気を給気する吸込口及び前記吸込口から給気された前記空気を吹き出す吹出口が形成されたファンケーシングと、前記ファンによって流動する前記空気が通過する熱交換器と、前記空気の吹出部及び吸込部が形成され、前記ファンを収容した前記ファンケーシング及び前記熱交換器が内部に設けられた筐体と、を有し、前記ファンケーシングは、前記筐体に固定されるケーシング本体部と、前記ケーシング本体部に固定されるケーシング分割部と、前記ケーシング本体部及び前記ケーシング分割部によって形成される前記吸込口に配設された一体成形品であるベルマウス部とを具備し、
前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され、
（６）別の訂正単位とする求め
　訂正後の請求項３、４については、当該請求項についての訂正が認められる場合には、一群の請求項の他の請求項とは別途訂正することを求める。
２　訂正要件についての判断
（１）一群の請求項について
　訂正事項１〜５に係る訂正前の請求項１〜７は、請求項２〜７がそれぞれ請求項１を直接的又は間接的に引用しているものであって、訂正事項１によって記載が訂正される請求項１に連動して訂正されるものである。したがって、訂正前の請求項１〜７に対応する訂正後の請求項１〜７は、特許法１２０条の５第４項に規定する一群の請求項である。
 
（２）訂正の目的の適否、新規事項の有無、及び特許請求の範囲の拡張・変更の存否について
ア　訂正事項１
（ア）訂正の目的について
　訂正前の請求項１に係る発明の「吸込口」と「ベルマウス部」との構成について、訂正後の請求項１は、「
前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され、
（イ）願書に添付した明細書、特許請求の範囲又は図面に記載した事項の範囲内の訂正であることについて
　本件特許の願書に添付された明細書、特許請求の範囲及び図面（以下、「本件特許明細書等」という。）には、次の事項が記載されている（下線は、理解の一助のために当審が付与した。以下、同様である。）。
「【0029】
　さらに、ファンケーシング１は、ケーシング本体部１ａ及びケーシング分割部１ｂによって形成される吸込口４に配設される二つのベルマウス部６を有している。より具体的に、
吸込口４は、ケーシング本体部１ａ及びケーシング分割部１ｂの一方の側面及び他方の側面にそれぞれ形成されており、二つのベルマウス部６は、それぞれ、一方の側面と他方の側面とに配設されている。
　上記記載より、訂正事項１における「前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され」ている点は、本件特許明細書等のすべての記載を総合することにより導かれる技術的事項との関係において、新たな技術的事項を導入するものではなく、願書に添付した明細書、特許請求の範囲又は図面に記載した事項の範囲内の事項であり、特許法第１２０条の５第９項で準用する特許法第１２６条第５項に適合する。
（ウ）実質上特許請求の範囲を拡張し、又は変更する訂正ではないことについて
　訂正事項１は、「吸込口」及び「ベルマウス部」に関しての発明特定事項を、「前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され」ているものに限定するものであり、当該訂正により訂正前の請求項１に記載された発明のカテゴリーや対象、目的を変更するものではないから、実質上特許請求の範囲を拡張し、又は変更するものには該当せず、特許法第１２０条の５第９項で準用する特許法第１２６条第６項に適合する。
イ　訂正事項２について
（ア）訂正の目的について
　訂正事項２は、訂正前の請求項３が請求項１又は２のいずれか一項の記載を引用する記載であるところ、“請求項１を引用するものについて、請求項間の引用関係を解消し独立形式請求項へ改めるため、請求項１の記載を引用しないものとするもの”及び“請求項２を引用するものについて削除するもの”であって、特許法第１２０条の５第２項ただし書第４号に規定する「他の請求項の記載を引用する請求項の記載を当該他の請求項の記載を引用しないものとすること」及び特許法第１２０条の５第２項ただし書第１号に規定する「特許請求の範囲の減縮」を目的とする訂正である。
（イ）願書に添付した明細書、特許請求の範囲又は図面に記載した事項の範囲内の訂正であることについて
　訂正事項２は、訂正前の請求項３について、請求項２を引用するものを削除するものであり、かつその他の実質的な内容の変更を伴うものではないから、本件特許明細書等のすべての記載を総合することにより導かれる技術的事項との関係において、新たな技術的事項を導入するものではなく、願書に添付した明細書、特許請求の範囲又は図面に記載した事項の範囲内の訂正であり、特許法第１２０条の５第９項で準用する特許法第１２６条第５項に適合する。
（ウ）実質上特許請求の範囲を拡張し、又は変更する訂正ではないことについて
　訂正事項２は、訂正前の請求項３について、請求項２を引用するものを削除するものであり、当該訂正により訂正前の請求項３に記載された発明のカテゴリーを変更するものではなく、かつ、訂正前の請求項３に記載された発明の対象や目的を変更するものではないから、実質上特許請求の範囲を拡張し、又は変更するものではなく、特許法第１２０条の５第９項で準用する特許法第１２６条第第６項に適合する。
ウ　訂正事項３について
（ア）訂正の目的について
　訂正事項３は、訂正前の請求項４が請求項１〜３のいずれか一項の記載を引用する記載であるところ、“請求項１を引用するものについて、請求項間の引用関係を解消し独立形式請求項へ改めるため、請求項１の記載を引用しないものとするもの”及び“請求項２〜３のいずれか一項を引用するものについて削除するもの”であって、特許法第１２０条の５第２項ただし書第４号に規定する「他の請求項の記載を引用する請求項の記載を当該他の請求項の記載を引用しないものとすること」及び特許法第１２０条の５第２項ただし書第１号に規定する「特許請求の範囲の減縮」を目的とする訂正である。
（イ）願書に添付した明細書、特許請求の範囲又は図面に記載した事項の範囲内の訂正であることについて
　訂正事項３は、訂正前の請求項４について、請求項２〜３のいずれか一項を引用するものを削除するものであり、かつその他の実質的な内容の変更を伴うものではないから、本件特許明細書等のすべての記載を総合することにより導かれる技術的事項との関係において、新たな技術的事項を導入するものではなく、願書に添付した明細書、特許請求の範囲又は図面に記載した事項の範囲内の訂正であり、特許法第１２０条の５第９項で準用する特許法第１２６条第５項に適合する。
（ウ）実質上特許請求の範囲を拡張し、又は変更する訂正ではないことについて
　訂正事項３は、訂正前の請求項４について、請求項２〜３のいずれか一項を引用するものを削除するものであり、当該訂正により訂正前の請求項４に記載された発明のカテゴリーを変更するものではなく、かつ、訂正前の請求項４に記載された発明の対象や目的を変更するものではないから、実質上特許請求の範囲を拡張し、又は変更するものではなく、特許法第１２０条の５第９項で準用する特許法第１２６条第第６項に適合する。
エ　訂正事項４について
（ア）訂正の目的について
　訂正事項４は、訂正前の請求項５が請求項１〜４のいずれか一項の記載を引用する記載であるところ、“請求項２を引用するものについて、請求項間の引用関係を解消し独立形式請求項へ改めるため、請求項２（及び請求項２が引用する請求項１）の記載を引用しないものとするもの”及び“請求項１、３〜４のいずれか一項を引用するものについて削除するもの”であって、特許法第１２０条の５第２項ただし書第４号に規定する「他の請求項の記載を引用する請求項の記載を当該他の請求項の記載を引用しないものとすること」及び特許法第１２０条の５第２項ただし書第１号に規定する「特許請求の範囲の減縮」を目的とする訂正である。
　また、訂正前の請求項２に「前記ケーシング本体部に前記吹出口」と記載されているのを「前記ケーシング本体部の上部に前記吹出口」に限定し、訂正前の請求項５において、「二箇所」と記載されているのを、「第一接合部及び第二接合部の二箇所」に限定し、訂正前の請求項１の「吸込口」及び「ベルマウス部」に関しての発明特定事項を、「前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され」ているものに限定するものであり、訂正前の請求項５の「接合部」に関しての発明特定事項を、「前記接合部のうち、前記第二接合部は、前記吸込み口の下部に設けられ、前記第一接合部は前記吹出口の近傍であり、前記吸込み口の上部に設けられ、前記第二接合部よりも前記吹出口に近い位置に設けられる」と限定するものであって、特許法第１２０条の５第２項ただし書第１号に規定する「特許請求の範囲の減縮」を目的とする訂正である。
（イ）願書に添付した明細書、特許請求の範囲又は図面に記載した事項の範囲内の訂正であることについて
　訂正事項４に関して、“訂正前の請求項５について、請求項１、３〜４のいずれか一項を引用するものを削除するものである”点は、実質的な内容の変更を伴うものではないから、願書に添付した明細書、特許請求の範囲又は図面に記載した事項の範囲内の訂正であり、特許法第１２０条の５第９項で準用する特許法第１２６条第５項に適合する。
　「接合部」に関して、本件特許明細書等には、次の事項が記載されている。
「【0030】
　すなわち、
ファンケーシング１は、吹出口２の近傍である第一接合部３と、吹出口２を上側とした場合の吸込口４の下部にあたる第二接合部５との二箇所において、ケーシング本体部１ａとケーシング分割部１ｂとに分割できる構造となっている。
　また、図５には、ケーシング本体部の上部に吹出口が形成される点、及びケーシング本体部１ａとケーシング分割部１ｂとを第一接合部及び第二接合部の二箇所で接合する点が示されている。
　以上のことから、訂正事項４における「前記ケーシング本体部の上部に前記吹出口」が形成される点、「第一接合部及び第二接合部の二箇所」で接合する点、及び「前記接合部のうち、前記第二接合部は、前記吸込み口の下部に設けられ、前記第一接合部は前記吹出口の近傍であり、前記吸込み口の上部に設けられ、前記第二接合部よりも前記吹出口に近い位置に設けられる」点は、本件特許明細書等のすべての記載を総合することにより導かれる技術的事項との関係において、新たな技術的事項を導入するものではなく、願書に添付した明細書、特許請求の範囲又は図面に記載した事項の範囲内の事項であり、特許法第１２０条の５第９項で準用する特許法第１２６条第５項に適合する。
　また、訂正事項４における「前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され」る点は、上記ア（イ）で述べたとおりである。
（ウ）実質上特許請求の範囲を拡張し、又は変更する訂正ではないことについて
　訂正事項４に関して、“訂正前の請求項５について、請求項１、３〜４のいずれか一項を引用するものを削除するものである”点は、当該訂正により訂正前の請求項５に記載された発明のカテゴリーを変更するものではなく、かつ、訂正前の請求項５に記載された発明の対象や目的を変更するものではないから、実質上特許請求の範囲を拡張し、又は変更するものではなく、特許法第１２０条の５第９項で準用する特許法第１２６条第第６項に適合する。
　「接合部」に関しての発明特定事項を、「前記接合部のうち、一箇所の接合部は前記吹出口の近傍に設けられる」ものに限定する点は、当該訂正により訂正前の請求項５に記載された発明のカテゴリーや対象、目的を変更するものではないから、実質上特許請求の範囲を拡張し、又は変更するものには該当せず、特許法第１２０条の５第９項で準用する特許法第１２６条第６項に適合する。
　また、「吸込口」及び「ベルマウス部」に関しての発明特定事項を、「前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され」ているものに限定する点は、上記ア（ウ）で述べたとおりである。
オ　訂正事項５について
（ア）訂正の目的について
　訂正事項５は、訂正事項１によって訂正される請求項１の記載事項と、明細書の記載事項とを整合させるだけのものであるから、その目的は、特許法第１２０条の５第２項ただし書第３号に規定する「明瞭でない記載の釈明」を目的とするものである。
（イ）願書に添付した明細書、特許請求の範囲又は図面に記載した事項の範囲内の訂正であることについて
　訂正事項５は、訂正事項１と同様に、願書に添付した明細書、特許請求の範囲又は図面に記載した事項の範囲内の訂正であり、特許法第１２０条の５第９項で準用する特許法第１２６条第５項に適合する。
（ウ）実質上特許請求の範囲を拡張し、又は変更する訂正ではないことについて
　訂正事項５は、訂正事項１と同様に、実質上特許請求の範囲を拡張し、又は変更するものではなく、特許法第１２０条の５第９項で準用する特許法第１２６条第第６項に適合する。
（３）独立特許要件について
　本件において、訂正前の請求項１〜２、５〜７について特許異議の申立てがされているので、訂正前の請求項１に係る訂正事項１、訂正前の請求項５に係る訂正事項４に関して、特許法第１２０条の５第９項で読み替えて準用する特許法第１２６条第７項に規定される独立特許要件は課されない。
　訂正事項２は、訂正前の請求項３について、請求項２を引用するものを削除するものであり、かつその他の実質的な内容の変更を伴うものではないから、独立特許要件が満たされなくなることはなく、特許法第１２０条の５第９項で読み替えて準用する特許法第１２６条第７項に規定される独立特許要件を満たす。
　訂正事項３は、訂正前の請求項４について、請求項２〜３のいずれか一項を引用するものを削除するものであり、かつその他の実質的な内容の変更を伴うものではないから、独立特許要件が満たされなくなることはなく、特許法第１２０条の５第９項で読み替えて準用する特許法第１２６条第７項に規定される独立特許要件を満たす。
　訂正事項５は、特許法第１２０条の５第２項ただし書第１号に規定する特許請求の範囲の減縮を目的とする訂正、同第２号に規定する誤記又は誤訳の訂正を目的とする訂正のいずれでもない。したがって、特許法第１２０条の５第９項で読み替えて準用する特許法第１２６条第７項に規定される独立特許要件は課されない。
３　まとめ
　以上のとおりであるから、本件訂正は、特許法第１２０条の５第２項ただし書第１号、第３号又は第４号に掲げる事項を目的とするものであり、かつ、同条第３項並びに第９項において準用する同法第１２６条第５項及び第６項の規定に適合するものである。
　そして、特許権者は、訂正後の請求項３及び４については、当該請求項についての訂正が認められる場合には、一群の請求項の他の請求項とは別の訂正単位として扱われることを求めているところ、上記のとおり、訂正事項２及び３に係る訂正は認められるものであるから、訂正後の請求項３及び４について、一群の請求項の他の請求項とは別の訂正単位として扱う。
　よって、結論のとおり、本件特許の明細書、特許請求の範囲を、訂正請求書に添付した訂正明細書、特許請求の範囲のとおり、訂正後の請求項〔１、２、５〜７〕、３、４について訂正することを認める。
第３　本件発明
　本件特許の請求項１〜７に係る発明は、本件訂正により訂正された特許請求の範囲に記載された事項により特定される、以下のとおりのものである。以下、本件特許の請求項１〜７に係る発明を請求項の番号に従って「本件発明１」などという。 
「【請求項１】
　ファンと、
　前記ファンを収容し、空気を給気する吸込口及び前記吸込口から給気された前記空気を吹き出す吹出口が形成されたファンケーシングと、
　前記ファンによって流動する前記空気が通過する熱交換器と、
　前記空気の吹出部及び吸込部が形成され、前記ファンを収容した前記ファンケーシング及び前記熱交換器が内部に設けられた筐体と、
を有し、
　前記ファンケーシングは、
　前記筐体に固定されるケーシング本体部と、
　前記ケーシング本体部に固定されるケーシング分割部と、
　前記ケーシング本体部及び前記ケーシング分割部によって形成される前記吸込口に配設された一体成形品であるベルマウス部とを具備し、
　前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され、
　前記ベルマウス部は、前記ケーシング本体部と前記ケーシング分割部との接合面の少なくとも一部を塞ぐものである、空気調和装置。
【請求項２】
　前記ケーシング本体部に前記吹出口が形成された、請求項１に記載の空気調和装置。
【請求項３】
　ファンと、
　前記ファンを収容し、空気を給気する吸込口及び前記吸込口から給気された前記空気を吹き出す吹出口が形成されたファンケーシングと、
　前記ファンによって流動する前記空気が通過する熱交換器と、
　前記空気の吹出部及び吸込部が形成され、前記ファンを収容した前記ファンケーシング及び前記熱交換器が内部に設けられた筐体と、
を有し、
　前記ファンケーシングは、
　前記筐体に固定されるケーシング本体部と、
　前記ケーシング本体部に固定されるケーシング分割部と、
　前記ケーシング本体部及び前記ケーシング分割部によって形成される前記吸込口に配設された一体成形品であるベルマウス部とを具備し、
　前記ベルマウス部は、前記ケーシング本体部と前記ケーシング分割部との接合面の少なくとも一部を塞ぐものであり、
　前記ファンの外径は、前記吸込口の径よりも小さい、空気調和装置。
【請求項４】
　ファンと、
　前記ファンを収容し、空気を給気する吸込口及び前記吸込口から給気された前記空気を吹き出す吹出口が形成されたファンケーシングと、
　前記ファンによって流動する前記空気が通過する熱交換器と、
　前記空気の吹出部及び吸込部が形成され、前記ファンを収容した前記ファンケーシング及び前記熱交換器が内部に設けられた筐体と、
を有し、
　前記ファンケーシングは、
　前記筐体に固定されるケーシング本体部と、
　前記ケーシング本体部に固定されるケーシング分割部と、
　前記ケーシング本体部及び前記ケーシング分割部によって形成される前記吸込口に配設された一体成形品であるベルマウス部とを具備し、
　前記ベルマウス部は、前記ケーシング本体部と前記ケーシング分割部との接合面の少なくとも一部を塞ぐものであり、
前記ベルマウス部の開口径は、前記ファンの外径よりも小さい、空気調和装置。
【請求項５】
　ファンと、
　前記ファンを収容し、空気を給気する吸込口及び前記吸込口から給気された前記空気を吹き出す吹出口が形成されたファンケーシングと、
　前記ファンによって流動する前記空気が通過する熱交換器と、
　前記空気の吹出部及び吸込部が形成され、前記ファンを収容した前記ファンケーシング及び前記熱交換器が内部に設けられた筐体と、
を有し、
　前記ファンケーシングは、
　前記筐体に固定されるケーシング本体部と、
　前記ケーシング本体部に固定されるケーシング分割部と、
　前記ケーシング本体部及び前記ケーシング分割部によって形成される前記吸込口に配設された一体成形品であるベルマウス部とを具備し、
　前記ベルマウス部は、前記ケーシング本体部と前記ケーシング分割部との接合面の少なくとも一部を塞ぐものであり、
　前記ケーシング本体部の上部に前記吹出口が形成され、
　前記ケーシング本体部と前記ケーシング分割部とは、第一接合部及び第二接合部の二箇所で接合されており、
　前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され、
　前記ベルマウス部の外径は、前記ケーシング本体部と前記ケーシング分割部との接合部のうちの少なくとも一方を基準とした外径以上の長さであり、
　前記接合部のうち、前記第二接合部は、前記吸込み口の下部に設けられ、前記第一接合部は前記吹出口の近傍であり、前記吸込み口の上部に設けられ、前記第二接合部よりも前記吹出口に近い位置に設けられる、空気調和装置。
【請求項６】
　前記ケーシング分割部は、前記ケーシング本体部との接合部に、前記ケーシング本体部に向かって延び、前記ケーシング本体部の内面に接する差込部を有する請求項１〜５の何れか一項に記載の空気調和装置。
【請求項７】
　前記ケーシング分割部は、
　上端部にフランジ状の折り曲げ部を有すると共に、
　前記折り曲げ部の上端部から前記ケーシング本体部に向かって延びる係止部を有する請求項１〜６の何れか一項に記載の空気調和装置。」
第４　取消理由の概要
（１）本件特許の請求項１、２に係る発明は、本件特許の出願前に日本国内又は外国において、頒布された刊行物に記載された発明又は電気通信回線を通じて公衆に利用可能となった発明である、甲１発明及び周知技術に基いて、その出願前にその発明の属する技術の分野における通常の知識を有する者（以下、「当業者」という。）が容易に発明をすることができたものである。
（２）請求項５に係る発明は、本件特許の出願前に日本国内又は外国において、頒布された刊行物に記載された発明又は電気通信回線を通じて公衆に利用可能となった発明である、甲１発明に基いて、当業者が容易に発明をすることができたものである。
（３）請求項６に係る発明は、本件特許の出願前に日本国内又は外国において、頒布された刊行物に記載された発明又は電気通信回線を通じて公衆に利用可能となった発明である、甲１発明、周知技術及び甲４記載技術または甲５記載技術に基いて、当業者が容易に発明をすることができたものである。
（４）請求項７に係る発明は、本件特許の出願前に日本国内又は外国において、頒布された刊行物に記載された発明又は電気通信回線を通じて公衆に利用可能となった発明である、甲１発明、周知技術、引用例１記載技術及び甲４記載技術または甲５記載技術に基いて、当業者が容易に発明をすることができたものである。
　したがって、本件特許の請求項１、２、５〜７に係る特許は、特許法第２９条第２項の規定に違反してされたものであり、同法第１１３条第２号に該当し、取り消すべきものである。
　刊行物（特許異議申立書等に添付された甲各号証及び当審において追加した引用例）
ア　甲第１号証：特開平７−３３２７２７号公報 
イ　甲第６号証：特開２００８−２４０６１２号公報（周知技術を示す）
ウ　甲第７号証：特開２０１０−７７８９９号公報　（周知技術を示す）
エ　甲第４号証：特開２０００−２８３０９４号公報
オ　甲第５号証：特開平１１−３２５４９９号公報
カ　引用例１　：特開２０１３−１９３５５号公報
第５　刊行物に記載された事項
ア　甲第１号証に記載された発明
（ア）　特許異議申立書に添付された甲第１号証（特開平７−３３２７２７号公報）には、以下の事項が記載されている。ただし、「・・・」は、省略を意味する。下線は、理解の一助のために当審が付与した。以下、同様である。
「【０００１】
【産業上の利用分野】本発明は熱交換換気装置に関し、より詳細には、
２個の送風ユニットを用いて室内空気と室外空気とを換気する形式の熱交換換気装置
・・・
【００１７】
【実施例】以下、添付図面を参照しつつ本発明の好ましい実施例について詳述する。図１は本発明の一実施例における熱交換換気装置１０の要部を示す分解斜視図であり、図２は上記熱交換換気装置１０の基本構造を示す平面略図である。これらの図を参照して、
この熱交換換気装置１０は、天井空間Ｓ１内に収容される天井埋込形のものであり、箱型のケーシング１１を備えている。
【００１８】
ケーシング１１内には、図示しない間仕切り板によって、室外の空気を室内に供給する給気経路ＰＨ１と、室内の空気を室外に排出する排気経路ＰＨ２と、両経路ＰＨ１、ＰＨ２が交差する熱交換エレメント収容室Ｃとが区画されている
ダクト継手ＯＡから導入された室外の空気が給気経路ＰＨ１を介してダクト継手ＲＡから室内に導入されるとともに、ダクト継手ＳＡから排出される室内の空気が吹出経路ＰＨ２を介してダクト継手ＥＡから室外に吹き出されるようになっている
【００１９】次に、
ケーシング１１内には、熱交換エレメント１２が収容されている
熱交換エレメント１２は、積層方向Ａ１が水平に沿った状態で上記第１の通気口１６Ａを給気経路ＰＨ１と連通させているとともに、第２の通気口１６Ｂを吹出経路ＰＨ２と連通させている
・・・
【００２１】
上記ケーシング１１内の各経路ＰＨ１、ＰＳ２に空気を流通させるために、ケーシング１１内には、一対の送風ユニット２０が配設されている
各送風ユニット２０は、いわゆるモータ側吸込形式のシロッコファンによって構成されており、略矩形の外郭部材２１、外郭部材２１に着脱可能に取り付けられるモータ２２、およびモータ２２の回転軸２２Ａ端に固定されて、ケーシング１１内の運転位置（図２に示す位置）にて上記稜線１２Ｂに沿う方向にモータ２２と対向する樹脂製ファンロータ２３とを有する
【００２２】外郭部材２１は、矩形に形成された発砲スチロール製のファンケーシング２１Ａと、ファンケーシング２１Ａの一端面に固定された取付け板２１Ｂとを一体的に有している。
上記モータ２２は、取付け板２１Ｂにビス２１Ｃで固定された鋼板製のベルマウス２４に対して同心に配設されており、このベルマウス２４のフランジ部２４Ａに固定された鋼板製のモータ台２５を介してビス２１Ｄにより固定されている
【００２３】本実施例において、モータ２２は、メンテナンス側側板１１Ｂに近接して配設されている。従って、本実施例では、メンテナンス空間Ｓ１１から作業者の手がモータ２２に届きやすくなる。
上記ファンロータ２３は、両吸込型のシロッコファン羽根車で構成されており、これによって図１に示すように、軸方向両端側から空気を吸引できるようになっている。本実施例では、ファンロータ２３が、モータ２２の回転軸２２Ａの両側から空気を吸引する両吸込型のものであるので、空気の圧力損失が小さくなり、容易に大風量を得ることができるという利点がある。
・・・
【００３１】この実施例においても、図１の構成と同様の作用効果を奏することが可能になる。次に、
図７および図８に示すさらに別の実施例について説明する。図７は、本発明の別の実施例における送風ユニットの概略斜視図であり、図８は、図７の背面図である
【００３２】これらの図を参照して、
本実施例の送風ユニット２０は、分割型のファンケーシング６０を採用している。このファンケーシング６０は、ケーシング１１の対応する側板１１Ｃ、１１Ｄ（図１参照）に固定される固定部６１と、固定部６１に対し、着脱可能な状態で熱交換エレメント１２（図１参照）側に配設される着脱部６２とを備えており
「【図１】
【図７】
【図８】
」
　図１から熱交換エレメント収容室Ｃに熱交換エレメント１２が収容されていることは明らかである。また、図１には、ダクト継手ＯＡから導入された室外の空気が給気経路ＰＨ１を介してダクト継手ＳＡから室内に導入されるとともに、ダクト継手ＲＡから排出されることが示されている。なお、段落【００１８】の「ダクト継手
ＲＡ
ＳＡ
　図７に示されるファンケーシング６０が、樹脂製ファンロータ２３を収容し、下図に示す位置に吸込口及び吹出口が形成されたものであり、固定部６１に吹出口が形成されたものであることは明らかである。
　図７及び図８から、ファンケーシング６０が、固定部６１と着脱部６２とによって形成される吸込口に配設された一体成形品であるベルマウス２４を具備する。
　図８から、固定部６１と着脱部６２とは上下の二箇所で接合されていることは明らかである。
　段落【００２３】の「上記ファンロータ２３は、両吸込型のシロッコファン羽根車で構成されており、これによって図１に示すように、軸方向両端側から空気を吸引できるようになっている。」、【図１】及び【図７】から、吸込口は、固定部６１及び着脱部６２の一方の側面と他方の側面とに形成され、前記一方の側面に形成された前記吸込口にベルマウス２４が配設されていることは明らかである。
（イ）　上記（ア）の記載事項を総合すると、甲第１号証には、以下の発明（以下、「甲１発明」という。）が記載されていると認められる。
「熱交換換気装置１０であって、箱型のケーシング１１を備え、
　前記ケーシング１１は、室外の空気を室内に供給する給気経路ＰＨ１と、室内の空気を室外に排出する排気経路ＰＨ２と、前記両経路ＰＨ１、ＰＨ２が交差する熱交換エレメント収容室Ｃとに区画され、ダクト継手ＯＡから導入された室外の空気が前記給気経路ＰＨ１を介してダクト継手ＳＡから室内に導入されるとともに、ダクト継手ＲＡから排出される室内の空気が前記排気経路ＰＨ２を介してダクト継手ＥＡから室外に吹き出されるようになっており、
　前記ケーシング１１内の熱交換エレメント収容室Ｃには、熱交換エレメント１２が収容されており、
　前記熱交換エレメント１２は、第１の通気口１６Ａを前記給気経路ＰＨ１と連通させているとともに、第２の通気口１６Ｂを前記排気経路ＰＨ２と連通させており、
　前記ケーシング１１内の前記各経路ＰＨ１、ＰＳ２に空気を流通させるために、前記ケーシング１１内には、一対の送風ユニット２０が配設されており、
　前記送風ユニット２０は、モータ側吸込形式のシロッコファンによって構成されており、モータ２２および樹脂製ファンロータ２３を有し、前記モータ２２が、取付け板２１Ｂにビス２１Ｃで固定された鋼板製のベルマウス２４に対して同心に配設されており前記ベルマウス２４のフランジ部２４Ａに固定された鋼板製のモータ台２５を介してビス２１Ｄにより固定されており、
　前記送風ユニット２０は、分割型のファンケーシング６０を採用しており、前記ファンケーシング６０は、前記ケーシング１１の対応する側板１１Ｃ、１１Ｄに固定される固定部６１と、前記固定部６１に対し、着脱可能な状態で前記熱交換エレメント１２側に配設される着脱部６２とを備え、
　前記ファンケーシング６０は前記樹脂製ファンロータ２３を収容し、吸込口及び吹出口が形成され、前記固定部６１に前記吹出口が形成されており、
　前記ファンケーシング６０は、固定部６１と着脱部６２とによって形成される吸込口に配設された一体成形品であるベルマウス２４を具備し、
　前記吸込口は、前記固定部６１及び前記着脱部６２の一方の側面と他方の側面とに形成され、前記一方の側面に形成された前記吸込口にベルマウス２４が配設され、
　前記固定部６１と前記着脱部６２とは二箇所で接合されている、
熱交換換気装置１０。」
イ　甲第６号証に記載された事項
　異議申立人が令和２年１１月２５日に提出した意見書に添付された甲第６号証（特開２００８−２４０６１２号公報）には、以下の事項が記載されている。
「【００３３】
１ シロッコファン
９ ベルマウス
「【図７】
」
　上記図７には、シロッコファン１のケーシングの一方の側面と他方の側面とに形成された吸込み口の両方にベルマウス９が１つずつ配設されていることが示されている。
ウ　甲第７号証に記載された事項
　異議申立人が令和２年１１月２５日に提出した意見書に添付された甲第７号証（特開２０１０−７７８９９号公報）には、以下の事項が記載されている。
「【０００８】
実施の形態１．
　図１は本発明の実施の形態１に係るシロッコファンの縦断面図、
図２は図１のシロッコファンのケーシングの斜視図
　
ケーシング２の側壁２ａに設けられた吸込口３には、その縁からファン６の内周側に向かって設置されたベルマウス７が吸込口３の全周縁に沿って設けられている。
「【図２】
」
　上記図２には、シロッコファンのケーシング２の一方の側面と他方の側面とに形成された吸込口３の両方にベルマウス７が１つずつ配設されていることが示されている。
エ　甲第４号証
　特許異議申立書に添付された甲第４号証（特開２０００−２８３０９４号公報）には、以下の事項が記載されている。
「【００３０】（実施例２）
図７〜図９は本発明の実施例２の多翼送風機のケーシングを示す
【００３１】図７〜図９において、
ケーシング２１は羽根車９の回転軸を含む平面で分割した２個の樹脂製の分割片２２，２３を各分割片２２，２３の開口縁２２ａ，２３ａで当接させることにより構成され、一方の分割片２２の開口縁２２ａベルマウス２４部の内面側に、他方の分割片２３の開口縁２３ａベルマウス２４部により覆われる突起２５を設けた構造
【００３２】この構成により、各開口縁２２ａ，２３ａベルマウス２４部の倒れ込みの度合いにかかわらず、両分割片２２，２３の開口縁２２ａ，２３ａベルマウス２４部の当接面間に生じる隙間２４ａを突起２５で塞ぎ、ケーシング２１内の気流が開口縁２２ａ，２３ａベルマウス２４部の当接面間の隙間２４ａからケーシング２１外に漏れるのを防ぎ、送風性能の劣化を抑え騒音が増加するのを抑制することができる。
【００３３】しかも、
突起２５がベルマウス部２４の内面側にある
【００３４】尚、本実施例では突起２５を分割片２２に設けたが分割片２３に設けても同様の効果が得られる。」
「【図４】
」
「
【図７】
【図８】
【図９】
」
　上記の記載事項を総合すると、甲第４号証には、以下の技術（以下、「甲４記載技術」という。）が記載されていると認められる。
「多翼送風機のケーシング２１の一方の分割片２２の開口縁２２ａのベルマウス部２４の内面側に、他方の分割片２３の開口縁２３ａのベルマウス部２４により覆われ、ベルマウス部２４の内面側にある突起２５を設けた構造。」
オ　甲第５号証
　特許異議申立書に添付された甲第５号証（特開平１１−３２５４９９号公報）には、以下の事項が記載されている。
「【００１１】
前記ファンケーシング５は
下方と前方を開放し、両側壁６に半円状の第１の吸込部７ａと第１の付合せ部８ａを有し、同第１の付合せ部８ａ外側に係止爪９を設け、前部に吹出口を備えた略半円状のケーシング５ａと
上方を開放し、両側壁６に前記第１の吸込部７ａと連続する半円状の第２の吸込部７ｂと、前記第１の付合せ部８ａ内側に当接される第２の付合せ部８ｂを有し、同第２の付合せ部８ｂ外側に第１のリブ１０を設け、同第１のリブ１０に前記係止爪９を嵌着する係止孔１１を形成した半円状のケーシングカバー５ｂと
構成している
【００１２】図４は本発明による前記空気調和機のファンケーシングの一実施例を示す要部拡大断面図である。図において、１２は第１の凸部で、前記ケーシング５ａの第１の付合せ部８ａの係止爪９との隣接部先端に形成している。１３は第１の凹部で、前記ケーシングカバー５ｂの第１のリブ１０に設け、前記第１の凸部１２を嵌合するようにしている。」
「【図２】
【図３】
【図４】
」
　上記の記載事項を総合すると、甲第５号証には、以下の技術（以下、「甲５記載技術」という。）が記載されていると認められる。
「第１の付合せ部８ａを有する略半円形状のケーシング５ａと、前記第１の付合せ部８ａ内側に当接される第２の付合せ部８ｂを有する半円状のケーシングカバー５ｂとで構成される、ファンケーシング５。」
カ　甲第８号証
　異議申立人が令和３年４月８日に提出した意見書に添付された甲第８号証（実願昭５８−１７７２１８号（実開昭６０−８２１６５号）のマイクロフィルム）には、以下の事項が記載されている。
「図より明らかなように
送風機より発生する騒音を低減するため、ベルマウス部（１９ａ）は曲げＲを設ける
キ　甲第９号証
　異議申立人が令和３年４月８日に提出した意見書に添付された甲第９号証（実公平２−２２６０７号公報）には、以下の事項が記載されている。
「
吹出口ベルマウス部全周に曲げＲを設けて送風機から発生する騒音を低減できる
ク　甲第１０号証
　異議申立人が令和３年４月８日に提出した意見書に添付された甲第１０号証（米国特許第６２５７０１２号明細書）には、以下の事項が記載されている（当審による訳文を（）内に示す。）。
「Looking first at FIGS. 1 and 8, the indoor unit 10 of a split system air conditioning system of the type incorporating a structural framework according to the present invention is illustrated. Briefly, the unit 10 includes a main structural support frame 12, which includes a bottom panel 14, a back panel 16 and a top section 18. Attached to the sides of the back and top panels are structural internal side covers 20. The side covers 20 and the back panel 16 cooperate to support a horizontally extending fan support panel 22, which includes a pair of rectangular openings 24 formed therein. Mounted above the fan support panel 22 on a pair of inclined surfaces 26, defined by the internal side covers 20 is a heat exchanger coil 25.」（第２欄第６０行〜第３欄第５行）
（最初に図1及び図8を参照すると、本発明に係るフレーム構造を備えた分割システム
空気調和システムの室内機10
「Mounted to the lower surface of the fan support panel 22 is a fan assembly 34, which includes an electric motor 36 adapted to drive a pair of centrifugal fans 38, which are each enclosed in a two-piece scroll housing 40. Each of scroll housings 40 defines a rectangular upper air outlet opening 39, which is in air flow communication with the rectangular openings 24 in the fan support panel 22.」（第３欄第１３〜１９行）
（ファン支持パネル22の下面に取り付けられているのはファン組立体34であり、これは2ピース渦巻ハウジング40内に封入されている一対の遠心ファン38を駆動させる電動モータ36を含んでいる。
渦巻ハウジング40の各々は、矩形状の上部空気出口開口39を規定し
「Before describing the scroll housing 40 in detail, the sequence of attachment of the components to the fan panel 22 to form the sub-assembly 48 will briefly be described. First, the two pieces of the scroll housing 40 will be referred to as the back section 50 and the front section 52. The back section 50 is first attached to the fan panel, as illustrated on the left-hand side of FIG. 5. Following this, an assembly which includes the motor 36 and the fans 38 is attached to the lower side of the fan support panel 22 by a bracket 54. The bracket is attached at a location between the two rectangular openings 24 to thereby support the fans 38 within the back sections 50 of the scroll and underlying the rectangular openings 24. Following this, the front sections 52 of the scrolls are attached to the back sections 50 to complete the sub-assembly 48.」（第３欄第３６〜５０行）
（渦巻ハウジング40を詳細に説明する前に、サブアセンブリ48を形成するためのファンパネル22への構成要素の取り付けの順序を簡単に説明する。第1に、2個の渦巻ハウジング40は、「後部セクション50」と「前部セクション52」と呼ぶことにする。
後部セクション50は、
ファンパネルに取り付けられる。
「Formed in the lower front edge 60 of the wall 56 are three horizontally extending hinge pins 70. The hinge pins extend along the same axis and are supported in spaced relationship forwardly of the edge 60 by perpendicularly extending structural support sections 72. Each of the side walls 62 and 64 is provided with a semi-circular opening 74 therein which, as will seen, cooperates with a similar opening in the front section 52 to define the inlet openings to the fans 38.」（第３欄第６２行〜第４欄第２行）
（壁56の下側前方端部60には、3つの水平方向に延びるヒンジピン70が形成されている。ヒンジピンは、同じ軸に沿って延びており、垂直に延在する構造支持部72によりエッジ60の前方に間隔を置いた関係で支持されている。
側壁62及び64の各々は、半円形の開口74を備え
ファン38への入口開口部を規定する
「The front section 52 of the scroll housing includes a curved wall 96, which has an upper back edge 98 and a lower back edge 100. The curved wall 96 further includes planar end walls 102 on opposite sides thereof. Each of the end walls 102 has a first edge 104 which intersects with and is perpendicular to the upper back edge 98 of the curved wall and a second edge 106, which intersects with and is perpendicular to the lower back edge 100 of the curved wall. Each of the end walls 102 is provided with a semi-circular opening 108 therein which, as previously described, cooperates with the semi-circular opening 74 in the back section 50 when the scroll 40 is assembled to define the air inlet openings. As best seen in FIG. 3, the lower back edge 100 is provided with three integrally formed hooks 110, which are configured to engage the three hinge pins 70 carried by the back section 50 in a manner which will be described.」（第４欄第３４〜４９行）
（前記スクロールハウジングの前部セクション52は、上部後縁98と下部後縁100とを有する湾曲壁96を含む。湾曲壁96は更に、対向する側部上に平坦な端壁102を有している。それぞれの端壁102は、湾曲壁の上部後縁98と交差し、それに垂直である第1の縁部104と、湾曲壁の下部後縁100と交差し、それに垂直である第2エッジ106とを有する。それぞれの
端壁102は、半円形の開口108が設けられており、スクロール40の空気入口開口部を規定する
「
」
　上記図４から、
渦巻ハウジング４０の後部セクション５０と前部セクション５２は上部接合部と下部接合部の二箇所で接合され、下部接合部は、開口部７４及び開口部１０８により構成される空気入口開口部の下部に設けられ、上部接合部は、上部空気出口開口３９の近傍であり、開口部７４及び開口部１０８により構成される空気入口開口部の上部に設けられ、下部接続部よりも上部空気出口開口３９に近い位置に設けられる
　上記の記載事項を総合すると、甲第１０号証には、以下の技術（以下、「甲１０記載技術」という。）が記載されていると認められる。
「空調システムの室内機１０の渦巻ハウジング４０であって、
　後部セクション５０及び前部セクション５２により構成され、
　後部セクション５０と前部セクション５２は上部接合部と下部接合部の二箇所で接合され、
　下部接合部は、開口部７４及び開口部１０８により構成される空気入口開口部の下部に設けられ、
　上部接合部は、上部空気出口開口３９の近傍であり、開口部７４及び開口部１０８により構成される空気入口開口部の上部に設けられ、下部接続部よりも上部空気出口開口３９に近い位置に設けられる渦巻ハウジング４０。」
ケ　甲第１１号証
　異議申立人が令和３年４月８日に提出した意見書に添付された甲第１１号証（特開２００６−６４２２０号公報）には、以下の事項が記載されている。
「【００２４】
　本発明の一実施形態に係るファンケーシングおよびその製造方法、ならびにそれを備えた床置き型空気調和機について、図１〜図８を用いて説明すれば以下の通りである。
　［空気調和機の全体構成］
　本発明の一実施形態に係わるファンケーシングを備えた床置き形空気調和機１の外観の正面図を図１に示す。図２には、図１の床置き形空気調和機１の内部の主要部を概略的に示す正面図が示されている。」
「【００３１】
　また、本実施形態では、ファンケーシング本体３１と底板３３とドレンパン３６とを成形するための成形方法としては、インジェクション成形、とくに厚肉部への流動性の向上のためにガスインジェクション成形が採用されている。
　図６および図７に示されるファンケーシング本体３１および裏板３２によって囲まれた空間Ｓ１には、ファンローター２９（図２および図６参照）が収納される。
〔ファンケーシング本体３１の構成〕
　ファンケーシング本体３１は、吸込口３１ａおよび吹出口３１ｂを有し
「
                     　　　　　　　　　　　　　　　　　」
コ　甲第１２号証
　異議申立人が令和３年４月８日に提出した意見書に添付された甲第１２号証（特開２００３−５６８６３号公報）には、以下の事項が記載されている。
「【０１０５】以上のように組み立てられた除湿機１００を作動させると、まず、筐体１１０の空気吸込部１２１より除湿室１４０内に吸い込まれた空気は、蒸発器２によって冷やされ、その結露水が蒸発器２に付着する。付着した結露水は、ドレンパン６を介してタンク１３０内に滴下される。
【０１０６】蒸発器２によって除湿された空気は、次に凝縮器３によって暖められ乾燥される。凝縮器３を通った空気は、仕切板２００の連通孔２１０を通って、ファンケーシング３００内に収納された多翼ファン８の内径側に導かれ、遠心力によって外径側に吹き出される。」
「【０１１４】同様にして、図１２は
吹出口３２１
「
　　　　　　　　　　　　　」
サ　引用例１
　当審において追加した引用例１（特開２０１３−１９３５５号公報）には、以下の事項が記載されている。
「【００３８】
　図４、図５および図６に示すように、
サイレンサケーシング８を構成している各パネル１０ａ、１０ｂは、上部側サイレンサケーシング８ａと下部側サイレンサケーシング８ｂとを締結した際に、環形状となるように形成されており、水平方向において上下方向に２分割可能とされている
【００３９】
　
上部側サイレンサケーシング８ａおよび下部側サイレンサケーシング８ｂの継手面（分割面）には、各パネル１０ａ、１０ｂの外面から外方（ハイブリッド過給機１の軸方向）に向かって水平方向に延在しているフランジ１４、１５が各々設けられている
【００４０】
　
上部側サイレンサケーシング８ａのフランジ１４は、図４および図５に示すように、各パネル１０ａ、１０ｂの外面から外方に向かって水平方向に延在している水平部１４ａと、その延在端において鉛直方向下方に向かって延在している鉛直部１４ｂとによって形成されている。すなわち、フランジ１４は、その断面形状がＬ字形状となるように形成されている
「【図４】
【図５】
」
　上記の記載事項を総合すると、引用例１には、以下の技術（以下、「引用例１記載技術」という。）が記載されていると認められる。
「パネル１０ａ、１０ｂの外面から外方に向かって水平方向に延在している水平部１４ａと、その延在端において鉛直方向下方に向かって延在している鉛直部１４ｂとによって形成されているＬ字形状のフランジ１４によって、上部側サイレンサケーシング８ａと下部側サイレンサケーシング８ｂとが締結されるサイレンサケーシング８。」
（３）　本件発明１について
ア　本件発明１と甲１発明とを対比する。
（ア）　甲１発明の「シロッコファン」は、本件発明１の「ファン」に相当する。甲１発明において、ファンケーシング６０は、シロッコファンの樹脂製ファンロータ２３を収容しており、吸込口及び吹出口が形成されている。したがって、甲１発明の「樹脂製ファンロータ２３を収容し、吸込口及び吹出口が形成され」た「ファンケーシング６０」は、本件発明１の「前記ファンを収容し、空気を給気する吸込口及び前記吸込口から給気された前記空気を吹き出す吹出口が形成されたファンケーシング」に相当する。
（イ）　甲１発明において、熱交換エレメント１２は、給気経路ＰＨ１と排気経路ＰＨ２とが交差する熱交換エレメント収容室Ｃに収容されており、前記各経路ＰＨ１、ＰＨ２に空気を流通させるために、シロッコファンによって構成される送風ユニット２０が配設されている。したがって、甲１発明の「両経路ＰＨ１、ＰＨ２が交差する熱交換エレメント収容室Ｃ」に「収容され」た「熱交換エレメント１２」は、本件発明１の「前記ファンによって流動する前記空気が通過する熱交換器」に相当する。
（ウ）　甲１発明において、ケーシング１１は、「ダクト継手ＯＡから導入された室外の空気が前記給気経路ＰＨ１を介してダクト継手ＳＡから室内に導入されるとともに、ダクト継手ＲＡから排出される室内の空気が前記排気吹出経路ＰＨ２を介してダクト継手ＥＡから室外に吹き出される」ものであるから、空気の吸出部及び吸込部が形成されることは明らかである。また、甲１発明の「ケーシング１１内には、一対の送風ユニット２０が配設されており、前記送風ユニット２０は、モータ側吸込形式のシロッコファンによって構成され」、「ケーシング１１内の熱交換エレメント収容室Ｃには、熱交換エレメント１２が収容されて」いる点は、本件発明１の「前記ファンを収容した前記ファンケーシング及び前記熱交換器が内部に設けられた筐体」に相当する。したがって、甲１発明の上記構成は、本件発明１の「前記空気の吹出部及び吸込部が形成され、前記ファンを収容した前記ファンケーシング及び前記熱交換器が内部に設けられた筐体」に相当する。
（エ）　甲１発明における「前記ケーシング１１の対応する側板１１Ｃ、１１Ｄに固定される固定部６１」及び「前記固定部６１に対し、着脱可能な状態で前記熱交換エレメント１２側に配設される着脱部６２」は、それぞれ、本件発明１の「前記筐体に固定されるケーシング本体部」及び「前記ケーシング本体部に固定されるケーシング分割部」に相当する。
（オ）　甲１発明において、「前記ファンケーシング６０は、固定部６１と着脱部６２とによって形成される吸込口に配設された一体成形品であるベルマウス２４を具備」する点は、本件発明１の「前記ファンケーシングは、」「前記ケーシング本体部及び前記ケーシング分割部によって形成される前記吸込口に配設された一体成形品であるベルマウス部とを具備」する点に相当する。
（カ）　甲１発明において、「前記吸込口は、前記固定部６１及び前記着脱部６２の一方の側面と他方の側面とに形成され、前記一方の側面に形成された前記吸込口にベルマウス２４が配設され」る点は、本件発明１の「前記吸込口は、前記ケーシング本体部及び前記ケーシング分割部の一方の側面と他方の側面とに形成され、前記一方の側面に形成された前記吸込口に」「前記ベルマウス部が配設され」る点に相当する。
（キ）　甲１発明の「熱交換換気装置１０」は、本件発明１の「空気調和装置」に相当する。
（ク）　本件発明１と甲１発明とを対比すると、両者は
「ファンと、
　前記ファンを収容し、空気を給気する吸込口及び前記吸込口から給気された前記空気を吹き出す吹出口が形成されたファンケーシングと、
　前記ファンによって流動する前記空気が通過する熱交換器と、
　前記空気の吹出部及び吸込部が形成され、前記ファンを収容した前記ファンケーシング及び前記熱交換器が内部に設けられた筐体と、
を有し、
　前記ファンケーシングは、
　前記筐体に固定されるケーシング本体部と、
　前記ケーシング本体部に固定されるケーシング分割部と、
　前記ケーシング本体部及び前記ケーシング分割部によって形成される前記吸込口に配設された一体成形品であるベルマウス部とを具備し、
　前記吸込口は、前記ケーシング本体部及び前記ケーシング分割部の一方の側面と他方の側面とに形成され、前記一方の側面に形成された前記吸込口に前記ベルマウス部が配設された、空気調和装置。」
である点で一致し、以下に示す点で相違する。
［相違点１］
　本件発明１は、「ベルマウス部は２つであり、」「前記他方の側面に形成された前記吸込口に他方の前記ベルマウス部が配設され」るのに対し、甲１発明は、ベルマウス２４を２つ備えるか不明であり、他方の側面に形成された吸込口に他方のベルマウスが配設されるか不明な点。
［相違点２］
　本件発明１は、「前記ベルマウス部は、前記ケーシング本体部と前記ケーシング分割部との接合面の少なくとも一部を塞ぐものである」のに対し、甲１発明は、ベルマウス２４が、固定部６１と着脱部６２との接合部を塞ぐものであるか不明である点。
イ　相違点についての判断
　相違点１について検討する。
　ケーシングの一方の側面と他方の側面とに吸込口が形成されるファンにおいて、両方の吸込口にベルマウスを１つずつ配設することは、甲第６号証及び甲第７号証に示されているように、本件特許の出願日より前の周知技術である（以下、単に「周知技術１」という。）。
　そして、甲１発明と周知技術１とは、共にケーシングの一方の側面と他方の側面とに吸込口が形成されるファンである点で共通する。
　よって、甲１発明に周知技術１を適用し、一方の側面と他方の側面にベルマウス部を配設し、相違点１に係る本件発明１の構成とすることは、当業者にとって容易である。
　特許権者は、令和３年３月８日提出の意見書において、「甲６号証及び甲７号証に記載のベルマウスは分割ケーシング用ではなく、甲６発明及び甲７発明においてベルマウスを騒音低減の目的で使用する技術的思想は無い」旨主張している（意見書５頁６〜２１行）。
　しかしながら、騒音低減の目的でベルマウスを設けることは技術常識である（甲第８号証の第７頁第１９行〜第８頁第２行、甲第９号証の第３頁第６欄第２４〜２７行）。
　そうすると、甲１発明において、一方の側面に形成された吸込口に一方のベルマウス部が配設されている理由は、甲第１号証に特段の記載がなくとも当業者であれば騒音低減の目的であると認識でき、そのうえで、他方の側面に形成された吸込口も同様に騒音低減の目的で、周知技術１に示されたベルマウス部を設けることは、当業者にとって格別の困難性はない。
　よって、特許権者の主張は採用できない。
　相違点２について検討する。
　甲第１号証の図８には、固定部６１と着脱部６２とを接合する部分と、ベルマウス２４の一部とが重なるように構成された点が示されており、ベルマウス２４が固定部６１と着脱部６２との接合面の少なくとも一部を塞いでいるといえる。
　よって、上記相違点２は、実質的な相違点ではない。
　仮に、相違点であったとしても、ベルマウス２４、固定部６１と着脱部６２の接合部、取付け板２Ｂなどの大きさを適宜設定し、ベルマウス２４が固定部６１と着脱部６２の接合面の少なくとも一部を塞ぐように構成することは、当業者であれば容易になし得たことである。
　
　したがって、本件発明１は、甲１発明及び周知技術１に基いて当業者が容易に発明をすることができたものである。　
（４）　本件発明２について
　甲１発明において「前記固定部６１に前記吹出口が形成されて」いる点は、本件発明２の「前記ケーシング本体部に前記吹出口が形成された」点に一致する。したがって、本件発明２と甲１発明とは、上記相違点１において相違し、その余において一致する。
　相違点１、２についての判断は上記（３）イに記載したとおりであるから、本件発明２は甲１発明及び周知技術１に基いて当業者が容易に発明をすることができたものである。
（５）　本件発明５について
ア　本件発明５と甲１発明とを対比する。
（ア）　甲１発明の「シロッコファン」は、本件発明５の「ファン」に相当する。甲１発明において、ファンケーシング６０は、シロッコファンの樹脂製ファンロータ２３を収容しており、吸込口及び吹出口が形成されている。したがって、甲１発明の「樹脂製ファンロータ２３を収容し、吸込口及び吹出口が形成され」た「ファンケーシング６０」は、本件発明５の「前記ファンを収容し、空気を給気する吸込口及び前記吸込口から給気された前記空気を吹き出す吹出口が形成されたファンケーシング」に相当する。
（イ）　甲１発明において、熱交換エレメント１２は、給気経路ＰＨ１と排気経路ＰＨ２とが交差する熱交換エレメント収容室Ｃに収容されており、前記各経路ＰＨ１、ＰＨ２に空気を流通させるために、シロッコファンによって構成される送風ユニット２０が配設されている。したがって、甲１発明の「両経路ＰＨ１、ＰＨ２が交差する熱交換エレメント収容室Ｃ」に「収容され」た「熱交換エレメント１２」は、本件発明５の「前記ファンによって流動する前記空気が通過する熱交換器」に相当する。
（ウ）　甲１発明において、ケーシング１１は、「ダクト継手ＯＡから導入された室外の空気が前記給気経路ＰＨ１を介してダクト継手ＳＡから室内に導入されるとともに、ダクト継手ＲＡから排出される室内の空気が前記排気吹出経路ＰＨ２を介してダクト継手ＥＡから室外に吹き出される」ものであるから、空気の吸出部及び吸込部が形成されることは明らかである。また、甲１発明の「ケーシング１１内には、一対の送風ユニット２０が配設されており、前記送風ユニット２０は、モータ側吸込形式のシロッコファンによって構成され」、「ケーシング１１内の熱交換エレメント収容室Ｃには、熱交換エレメント１２が収容されて」いる点は、本件発明５の「前記ファンを収容した前記ファンケーシング及び前記熱交換器が内部に設けられた筐体」に相当する。したがって、甲１発明の上記構成は、本件発明５の「前記空気の吹出部及び吸込部が形成され、前記ファンを収容した前記ファンケーシング及び前記熱交換器が内部に設けられた筐体」に相当する。
（エ）　甲１発明における「前記ケーシング１１の対応する側板１１Ｃ、１１Ｄに固定される固定部６１」及び「前記固定部６１に対し、着脱可能な状態で前記熱交換エレメント１２側に配設される着脱部６２」は、それぞれ、本件発明５の「前記筐体に固定されるケーシング本体部」及び「前記ケーシング本体部に固定されるケーシング分割部」に相当する。
（オ）　甲１発明において、「前記ファンケーシング６０は、固定部６１と着脱部６２とによって形成される吸込口に配設された一体成形品であるベルマウス２４を具備」する点は、本件発明５の「前記ファンケーシングは、」「前記ケーシング本体部及び前記ケーシング分割部によって形成される前記吸込口に配設された一体成形品であるベルマウス部とを具備」する点に相当する。
（カ）　甲１発明において「前記固定部６１に前記吹出口が形成されて」いる点と、本件発明５の「前記ケーシング本体部の上部に前記吹出口が形成され」ている点とは、「前記ケーシング本体部に前記吹出口が形成され」ている点で共通する。
（キ）　甲１発明の「前記固定部６１と前記着脱部６２とは二箇所で接合されている」点は、本件発明５の「前記ケーシング本体部と前記ケーシング分割部とは、二箇所で接合されて」いる点に相当する。
（ク）　甲１発明において、「前記吸込口は、前記固定部６１及び前記着脱部６２の一方の側面と他方の側面とに形成され、前記一方の側面に形成された前記吸込口にベルマウス２４が配設され」る点は、本件発明５の「前記吸込口は、前記ケーシング本体部及び前記ケーシング分割部の一方の側面と他方の側面とに形成され、前記一方の側面に形成された前記吸込口に」「前記ベルマウス部が配設され」る点に相当する。
（ケ）　甲１発明の「熱交換換気装置１０」は、本件発明５の「空気調和装置」に相当する。
（コ）　本件発明５と甲１発明とを対比すると、両者は、
「ファンと、
　前記ファンを収容し、空気を給気する吸込口及び前記吸込口から給気された前記空気を吹き出す吹出口が形成されたファンケーシングと、
　前記ファンによって流動する前記空気が通過する熱交換器と、
　前記空気の吹出部及び吸込部が形成され、前記ファンを収容した前記ファンケーシング及び前記熱交換器が内部に設けられた筐体と、
を有し、
　前記ファンケーシングは、
　前記筐体に固定されるケーシング本体部と、
　前記ケーシング本体部に固定されるケーシング分割部と、
　前記ケーシング本体部及び前記ケーシング分割部によって形成される前記吸込口に配設された一体成形品であるベルマウス部とを具備し、
　前記ケーシング本体部に前記吹出口が形成され、
　前記ケーシング本体部と前記ケーシング分割部とは、第一接合部及び第二接合部の二箇所で接合されており、
　前記吸込口は、前記ケーシング本体部及び前記ケーシング分割部の一方の側面と他方の側面とに形成され、前記一方の側面に形成された前記吸込口に前記ベルマウス部が配設された、空気調和装置。」
である点で一致し、以下に示す相違点１〜５で相違する。
［相違点１］
　本件発明５は、「ベルマウス部は２つであり、」「前記他方の側面に形成された前記吸込口に他方の前記ベルマウス部が配設され」るのに対し、甲１発明は、ベルマウス２４を２つ備えるか不明であり、他方の側面に形成された吸込口に他方のベルマウスが配設されるか不明な点。
［相違点２］
　本件発明５は、「前記ベルマウス部は、前記ケーシング本体部と前記ケーシング分割部との接合面の少なくとも一部を塞ぐものである」のに対し、甲１発明は、ベルマウス２４が、固定部６１と着脱部６２との接合部を塞ぐものであるか不明である点。
［相違点３］
　本件発明５は、「前記ベルマウス部の外径は、前記ケーシング本体部と前記ケーシング分割部との接合部のうちの少なくとも一方を基準とした外径以上の長さである」のに対し、甲１発明は、そのような構成を備えるのか不明である点。
［相違点４］
　本件発明５では、「前記ケーシング本体部の上部に前記吹出口が形成され」るのに対し、甲１発明では、「固定部６１の側部に吹き出し口が形成される」点。
［相違点５］
　本件発明５では、「接合部のうち、第二接合部は、吸込口の下部に設けられ、第一接合部は前記吹出口の近傍であり、前記吸込口の上部に設けられ、前記第二接合部よりも前記吹出口に近い位置に設けられる」のに対し、甲１発明は、そのように構成されていない点。
イ　相違点についての判断
　相違点１、２については、上記（３）イで検討した相違点１、２と同様のものであるから、甲１発明及び周知技術１に基いて当業者が容易に発明をすることができたものである。
　相違点３について検討する。
　甲１発明において、ベルマウス２４の外径をどの程度とするかは当業者が適宜決定し得ることである。
　そして、甲第１号証の図８には、固定部６１と着脱部６２との接合部と、ベルマウス２４の一部とが重なるように構成された点が示されていることを踏まえると、ベルマウス２４の外径を、固定部６１と着脱部６２との接合部のうち少なくとも一方を基準とした外径以上の長さとすることに格別の困難性はない。
　相違点４について検討する。
　空調機等のケーシングの上部に吹出口を形成することは、例えば、甲第１０号証、甲第１１号証及び甲第１２号証に示されているように、本件特許の出願日より前の周知技術である（以下、単に「周知技術２」という。）。
　そして、甲１発明において、空気調和機の構造や設置場所等に基づき、上記周知技術２を参照して吹出口を上部に設けることに格別の困難性は無い。
　相違点５について検討する。
　甲１発明において、周知技術２を参照して吹出口を上部に設ければ、固定部６１と着脱部６２との上側の接合部は下側の接合部よりも吹出口に近い位置に配置されることになることは明らかである。
　さらに、空調機等のケーシングの上部に吹出口を形成するものにおいて、ケーシング本体部とケーシング分割部が第一接合部及び第二接合部の二箇所で接合され、第二接合部は、吸込口の下部に設けられ、第一接合部は前記吹出口の近傍であり、前記吸込口の上部に設けられ、前記第二接合部よりも前記吹出口に近い位置に設けられるように構成することは、上記周知技術２の例証として示した甲第１０号証にも記載されており（例えば、甲１０号証記載技術）、そのような構成はよく知られているものである。
　よって、甲１発明において、上記相違点５に係る本件発明５の構成とすることは、当業者が適宜なし得たことである。
　したがって、本件発明５は、甲１発明及び周知技術１、２に基いて当業者が容易に発明をすることができたものである。
（６）　本件発明６について
ア　甲１発明との対比
　本件発明６と甲１発明とを対比する。
　本件発明６と甲１発明とは、上記相違点１乃至５に加えて、以下の相違点６において相違し、その余において一致する。
［相違点６］
　本件発明６は、「前記ケーシング分割部は、前記ケーシング本体部との接合部に、前記ケーシング本体部に向かって延び、前記ケーシング本体部の内面に接する差込部を有する」のに対し、甲１発明はそのような構成を備えていない点。
イ　相違点についての判断
　相違点１乃至５についての判断は、上記（３）及び（５）に記載したとおりである。
　相違点６について検討する。
　甲１発明のファンケーシング６０と、甲４記載技術のケーシング２１とは、ファンケーシングであるという点において一致するから、甲１発明のファンケーシング６０に甲４記載技術を適用して、相違点６に係る本件発明６の構成とすることは、当業者にとって容易である。また、甲１発明のファンケーシング６０と、甲５記載技術のケーシング５とは、ファンケーシングであるという点において一致するから、甲１発明のファンケーシング６０に甲５記載技術を適用して、相違点６に係る本件発明６の構成とすることは、当業者にとって容易である。
　したがって、本件発明６は、甲１発明、甲４記載技術または甲５記載技術及び周知技術１、２、に基いて当業者が容易に発明をすることができたものである。
（７）　本件発明７について
ア　甲１発明との対比
　本件発明７と甲１発明とを対比する。
　本件発明７と甲１発明とは、上記相違点１乃至７に加えて、以下の相違点５において相違し、その余において一致する。
［相違点７］
　本件発明７は、「前記ケーシング分割部は、上端部にフランジ状の折り曲げ部を有すると共に、前記折り曲げ部の上端部から前記ケーシング本体部に向かって延びる係止部を有する」のに対し、甲１発明はそのような構成を備えていない点。
イ　相違点についての判断
　相違点１ないし６についての判断は、上記（３）、（５）及び（６）に記載したとおりである。
　相違点７について検討する。
　甲１発明において、固定部６１と着脱部６２とを固定する具体的な構造は当業者が適宜選択し得るものであり、引用例１記載技術を採用して、相違点７に係る本件発明７の構成とすることは当業者にとって容易である。
　したがって、本件発明７は、甲１発明、甲４記載技術または甲５記載技術、引用例１記載技術、及び周知技術１、２に基いて当業者が容易に発明をすることができたものである。
第４　むすび
　以上のとおり、本件発明１、２は甲１発明及び周知技術１に基いて当業者が容易に発明をすることができたものであるから、本件発明１、２に係る特許は、特許法第２９条第２項の規定に違反してされたものである。
　本件発明５は、甲１発明及び周知技術１、２に基いて当業者が容易に発明をすることができたものであるから、本件発明５に係る特許は、特許法第２９条第２項の規定に違反してされたものである。
　本件発明６は、甲１発明、甲４記載技術または甲５記載技術、及び周知技術１、２に基いて当業者が容易に発明をすることができたものであるから、本件発明６に係る特許は、特許法第２９条第２項の規定に違反してされたものである。
　本件発明７は、甲１発明、甲４記載技術または甲５記載技術、引用例１記載技術、及び周知技術１、２に基いて当業者が容易に発明をすることができたものであるから、本件発明７に係る特許は、特許法第２９条第２項の規定に違反してされたものである。
　したがって、本件発明１、２、５〜７に係る特許は、特許法第１１３条第２号に該当し、取り消されるべきものである。
　よって、結論のとおり決定する。
【異議決定日】
令和３年７月１日（２０２１．７．１）
【訂正の要旨】
審決（決定）の【理由】欄参照。
（５４）【発明の名称】
空気調和装置
　【技術分野】
　【０００１】
　本発明は、ファンを収納するファンケーシングを備えた空気調和装置に関する。
　【背景技術】
　【０００２】
　従来から、熱交換器において熱交換された空気を被調和室内に送風するファンを備えた空気調和装置が用いられている（例えば特許文献１参照）。特許文献１の空気調和装置は、ファンモータの回転軸に連結されたファンの回転により、筐体の空気吸込口からファンケーシング内に空気を吸い込み、ファンケーシングから吹き出した空気を熱交換器へ送るように構成されている。そして、熱交換器へ送られた空気が、熱源機から熱交換器に流入する熱媒体と熱交換した後、筐体の空気吹出口から吹き出すことによって室内温度が調整される。
　【０００３】
　しかしながら、特許文献１の空気調和装置は、ファンモータとファンとが直接連結され、ファンケーシングの吸込口にファンモータの回転軸を通した形となっている。このため、ファンモータのみ、或いはファンのみをメンテナンスしようとしても、ファンモータの回転軸がファンケーシングと干渉することから、ファンケーシングごと取り外す大掛かりなメンテナンスが必要となる。
　【０００４】
　こうした課題から、メンテナンス時のファンモータ及びファンの取り外しを容易にするため、ファンケーシングを二つの分割体に分割できるようにした空気調和装置が提案されている（例えば特許文献２参照）。特許文献２の空気調和装置において、ファンケーシングを構成する二つの分割体の取り付けは、爪状の係止部によって行われる。
　【先行技術文献】
　【特許文献】
　【０００５】
　【特許文献１】実開平４−４６１４号公報
　【特許文献２】特開２０１３−２４９７６６号公報
　【発明の概要】
　【発明が解決しようとする課題】
　【０００６】
　しかしながら、特許文献２のファンケーシングは、空気の吸込み部の曲面部分であるベルマウス部も含めて二つに分割されている。このため、二つの分割体の接合面にズレが生じると、そのズレがたとえわずかであっても、ずれた端部に生じたエッジ部は、風切り音の発生原因となる。
　【０００７】
　本発明は、上記のような課題を解決するためになされたものであり、メンテナンス性が高く、かつファンの送風時における風切り音を抑制する空気調和装置を提供することを目的とする。
　【課題を解決するための手段】
　【０００８】
　本発明に係る空気調和装置は、ファンと、前記ファンを収容し、空気を給気する吸込口及び前記吸込口から給気された前記空気を吹き出す吹出口が形成されたファンケーシングと、前記ファンによって流動する前記空気が通過する熱交換器と、前記空気の吹出部及び吸込部が形成され、前記ファンを収容した前記ファンケーシング及び前記熱交換器が内部に設けられた筐体と、を有し、前記ファンケーシングは、前記筐体に固定されるケーシング本体部と、前記ケーシング本体部に固定されるケーシング分割部と、前記ケーシング本体部及び前記ケーシング分割部によって形成される前記吸込口に配設された一体成形品であるベルマウス部とを具備し、
前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され、
　【発明の効果】
　【０００９】
　本発明は、ファンを収容するファンケーシングが、筐体に固定されるケーシング本体部と、ケーシング本体部に固定されるケーシング分割部と、一体成形品であるベルマウス部と、に分割可能であり、ベルマウス部は、ケーシング本体部及びケーシング分割部によって形成される吸込口に配設される。このため、メンテナンス性の向上を図ると共に、ファンの送風時における風切り音を抑制することができる。
　【図面の簡単な説明】
　【００１０】
　【図１】本発明の実施の形態に係る空気調和装置の室内機を前面からみた外観斜視図である。
　【図２】図１の空気調和装置の室内機を背面からみた外観斜視図である。
　【図３】図１の空気調和装置の室内機を前面からみた内部斜視図である。
　【図４】図１の空気調和装置の室内機に備わるファンケーシングの外観斜視図である。
　【図５】図４のファンケーシングの分解構造斜視図である。
　【発明を実施するための形態】
　【００１１】
実施の形態．
　図１は、本発明の実施の形態に係る空気調和装置の室内機を前面からみた外観斜視図である。図２は、図１の空気調和装置の室内機を背面からみた外観斜視図である。図３は、図１の空気調和装置の室内機を前面からみた内部斜視図である。図１〜図３に基づき、本実施の形態に係る空気調和装置の室内機の構成について説明する。なお、図１〜図３では、ｘ軸正方向を前方向、ｙ軸正方向を右方向、ｚ軸正方向を上方向と定義する。
　【００１２】
　本実施の形態における空気調和装置の室内機１０は、被調和室に配設されており、屋外などに設置された熱源機（図示せず）に、熱媒体を循環させる配管を介して接続されている。室内機１０は、熱源機にて排熱又は吸熱された熱媒体を循環させ、被調和室内の空気調和を行うものである。
　【００１３】
　図１〜図３に示すように、室内機１０は、筐体１１を有している。筐体１１は、上部に空気（被調和空気）を吹き出す吹出部１２を有し、前面部に空気を吸い込む前側吸込部１３を有し、背面部に空気を吸い込む後側吸込部１４を有している。また、筐体１１は、右側面パネル２４及び左側面パネル２５を有している。右側面パネル２４と左側面パネル２５とは、筐体１１において、左右対称に配設されている。
　【００１４】
　さらに、室内機１０は、筐体１１の内部に、空気を送風するファン７と、ファン７を駆動するモータ８と、ファン７を収容するファンケーシング１と、熱源機から流入する熱媒体と空気とを熱交換させる熱交換器３０と、を有している。
　【００１５】
　室内機１０は、例えば、被調和室内の床面に設置され、吹出部１２の周囲に配置された吹出フランジ１５が、被調和室内の天井に配置された吹出ダクトに接続されている。室内機１０は、ファン７を駆動させることで、被調和室内の空気を前側吸込部１３及び後側吸込部１４から吸い込み、熱交換器３０を通し、熱交換器３０の内部の熱媒体と空気とを熱交換させ、吹出部１２及び吹出ダクトを経て、再び被調和室内に供給している。つまり、室内機１０は、被調和室内の空気を循環させることにより、空気調和を行うものである。
　【００１６】
　ファン７は、例えば、遠心式のシロッコファンからなり、複数の羽根７ａが円筒形状に配置されている。すなわち、ファン７は、ファンケーシング１の側面方向から内部に空気を吸込み、吸い込んだ空気を、遠心力の作用で外側に放出するものである。本実施の形態では、ファン７として、両吸込形のシロッコファンを採用している。
　【００１７】
　ファン７の周囲には、ファンケーシング１が設けられている。ファンケーシング１は、筐体１１に備わる天パネル１９と、前側フレーム２０と、後側フレーム２１とに固定されている。ファンケーシング１は、前側フレーム２０及び後側フレーム２１に固定する際に用いる固定部材１ｆを有している。
　【００１８】
　モータ８は、モータ取付板２２に取り付けられており、モータ取付板２２は、モータ台２３に取り付けられている。モータ取付板２２の前側は、モータ台２３にネジによって取り付けられており、モータ取付板２２の後側は、ピン（不図示）によって係止されている。このため、前側のネジを外し、後側のピンを外せる程度にモータ取付板２２を動かせば、モータ８をモータ取付板２２ごと取り外すことができる。
　【００１９】
　熱交換器３０は、例えばフィンアンドチューブ型熱交換器からなり、筐体１１内に斜めに配置されている。かかる配置は、有効面積を確保すると共に室内機１０の外形寸法を小さくするためのものであるが、同時に空気が必ず熱交換器３０を通過するように誘導する仕切板の役割も兼ねている。
　【００２０】
　また、熱交換器３０の下部にはドレン受け１６が設けられている。ドレン受け１６は、結露水を効率よく排出させるため、右斜め前方向に傾斜しており、端部に設けられた開口がドレン導水部１７の上端部に接続されている。
　【００２１】
　ドレン導水部１７は管形状となっている。これは、結露水が送風によって巻き上げられ、供給する空気に混在しないようにするためである。ドレン導水部１７の下端部は、ドレンパン１８上に設けられている。ドレンパン１８は、右方向に傾斜しており、端部にはドレン口１８ａが設けられている。
　【００２２】
　すなわち、熱交換器３０における空気との熱交換によって生じた結露水は、ドレン受け１６を通り、ドレン導水部１７及びドレンパン１８を経て、ドレン口１８ａより排出される。
　【００２３】
　ここで、本実施の形態におけるドレンパン１８は、塗装により耐食性を向上させた鋼板製である。もっとも、ドレンパン１８は、例えば発泡スチロール等の樹脂材を用いて形成されていてもよい。ただし、該樹脂材を用いて形成したドレンパン１８は、結露水を受ける面を、防カビ処理及び防水処理が施された樹脂シート等で保護する必要がある。
　【００２４】
　なお、ドレン受け１６の傾斜方向は、図３の例に限らず、ドレン導水部１７の位置関係に応じて変更してもよい。例えば、筐体１１内の前側中央にドレン導水部１７を配置する場合は、当該ドレン導水部１７の上端部に繋がるようにドレン受け１６に傾斜をつけるようにするとよい。
　【００２５】
　また、ドレンパン１８の傾斜方向は、図３の例に限らず、ドレン口１８ａの位置関係に応じて変更してもよい。例えば、ドレン口１８ａが左右の端部どちらにも設けられたドレンパン１８を採用した場合は、施工時のドレン配管の方向によって使用するドレン口１８ａを選択し、選択したドレン口１８ａに合わせてドレンパン１８の傾斜を変更するとよい。このように、ドレンパン１８の傾斜を可変させる構造を採れば、現地施工性が向上する。
　【００２６】
　図４は、空気調和装置の室内機１０に備わるファンケーシング１の外観斜視図である。図５は、ファンケーシング１の分解構造斜視図である。図４及び図５を参照して、ファンケーシング１の構造をより詳細に説明する。なお、図４及び図５においても、ｘ軸正方向、ｙ軸正方向、及びｚ軸正方向を、図１〜図３と同様に定義する。
　【００２７】
　ファンケーシング１は、筐体１１に固定されるケーシング本体部１ａと、ケーシング本体部１ａに固定されるケーシング分割部１ｂと、を有している。すなわち、ファンケーシング１は、前述の通り、筐体１１に備えた天パネル１９、前側フレーム２０、及び後側フレーム２１に固定されているが、これらに固定されているのはケーシング本体部１ａのみである。つまり、ファンケーシング１は、ケーシング本体部１ａが筐体１１に固定され、ケーシング分割部１ｂは、ケーシング本体部１ａにネジ止めされることにより、筐体１１に間接的に固定されている。
　【００２８】
　ファンケーシング１には、空気を給気する吸込口４と、吸込口４から給気された空気を吹き出す吹出口２とが形成されている。より具体的に、ケーシング本体部１ａの上部には、空気を吹き出す吹出口２が設けられている。また、図４に示すように、ファンケーシング１は、ケーシング本体部１ａとケーシング分割部１ｂとによって吸込口４を形成するものである。
　【００２９】
　さらに、ファンケーシング１は、ケーシング本体部１ａ及びケーシング分割部１ｂによって形成される吸込口４に配設される二つのベルマウス部６を有している。より具体的に、吸込口４は、ケーシング本体部１ａ及びケーシング分割部１ｂの一方の側面及び他方の側面にそれぞれ形成されており、二つのベルマウス部６は、それぞれ、一方の側面と他方の側面とに配設されている。
　【００３０】
　すなわち、ファンケーシング１は、吹出口２の近傍である第一接合部３と、吹出口２を上側とした場合の吸込口４の下部にあたる第二接合部５との二箇所において、ケーシング本体部１ａとケーシング分割部１ｂとに分割できる構造となっている。そして、送風時において、空気は、ベルマウス部６及びファンケーシング１の側面の吸込口４を経て、ファン７の内部に吸い込まれ、ファンケーシング１の内面を通り、吹出口２より吹き出される。
　【００３１】
　図５に示すように、ケーシング本体部１ａの第一接合部３にあたる部分には、フランジ状の第一本体折り曲げ部３ａが設けられている。ケーシング分割部１ｂの第一接合部３にあたる部分には、フランジ状の第一分割折り曲げ部３ｂが設けられている。第一本体折り曲げ部３ａ及び第一分割折り曲げ部３ｂは、ケーシング本体部１ａ及びケーシング分割部１ｂの外周から突起するように形成され、上方向である吹出口２の軸方向に沿って延びている。
　【００３２】
　ケーシング本体部１ａの第二接合部５にあたる部分には、フランジ状の第二本体折り曲げ部５ａが設けられている。ケーシング分割部１ｂの第二接合部５にあたる部分には、フランジ状の第二分割折り曲げ部５ｂが設けられている。第二本体折り曲げ部５ａ及び第二分割折り曲げ部５ｂは、ケーシング本体部１ａ及びケーシング分割部１ｂの外周から突起するように形成されている。また、ケーシング本体部１ａの下方には、固定部材１ｆが取り付けられている、第二本体折り曲げ部５ａ及び第二分割折り曲げ部５ｂは、前方に傾斜した斜め下方向に沿って延びている。
　【００３３】
　また、第一本体折り曲げ部３ａ及び第一分割折り曲げ部３ｂは、それぞれ、複数のネジ穴３ｈを有しており、第二本体折り曲げ部５ａ及び第二分割折り曲げ部５ｂは、それぞれ、複数のネジ穴５ｈを有している。すなわち、ファンケーシング１は、図４に示すように、ケーシング本体部１ａとケーシング分割部１ｂとをネジ３ｓ及びネジ５ｓによって固定できる構造となっている。
　【００３４】
　ベルマウス部６は、図５に示すように、複数のネジ穴６ｈを有しており、図４に示すように、ネジ６ｓによって、ケーシング本体部１ａ及びケーシング分割部１ｂに固定されるものである。ベルマウス部６には、中央に開口部６ａが設けられている。また、ベルマウス部６は、吸込口４に嵌め込まれる内径部６ｂと、ケーシング本体部１ａとケーシング分割部１ｂとの接合部である第一接合部３及び第二接合部５の少なくとも一部を塞ぐ平面部６ｃと、により構成されている。
　【００３５】
　ベルマウス部６は、開口部６ａに面する縁部が、ファンケーシング１の内部に向かって円弧状の断面となるように形成されている。すなわち、内径部６ｂの開口部６ａ側の面は、曲面であり、開口部６ａの軸方向を中心とした回転面における断面の形状が円弧状となっている。つまり、内径部６ｂの開口部６ａ側の曲面は、例えばｘｙ平面又はｙｚ平面で切断した断面が円弧状となっている。また、内径部６ｂ及び平面部６ｃは、ｘｚ平面で切断した断面の形状が円環状となっている。つまり、平面部６ｃは、側面視における形状が円環状となっている。そして、ベルマウス部６は、一体成形されており、従来のように分割して形成されたものではない。したがって、ベルマウス部６は、開口部６ａに面する部分にエッジなどの突起した部分が存在しないため、風切り音の発生を防ぐことができる。
　【００３６】
　本実施の形態では、ベルマウス部６の内径部６ｂが吸込口４に嵌り込むように構成されており、ベルマウス部６の開口径６ｄは、吸込口４の径よりも小さくなっている。また、送風効率を高めるために、ベルマウス部６の開口径６ｄは、ファン７の外径よりも小さくなっている。
　【００３７】
　さらに、吸込口４の径は、ファン７の外径よりも大きくなっている。このため、例えば、左側面パネル２５及び右側面パネル２４のうちの少なくとも一方を取り外すことにより、ケーシング分割部１ｂを取り外すことなく、ファン７を取り外すことができる。
　【００３８】
　ここで、本実施の形態におけるファンケーシング１は、第一接合部３における接合面の上下方向の長さが、第二接合部５における接合面の上下方向の長さよりも短くなっている。よって、ベルマウス部６の中心に対応する吸込口４の中心を「Ｏ」とした場合、中心Ｏと第一接合部３における外周の面との距離である第一仮想半径４ａは、中心Ｏと第二接合部５における外周の面との距離である第二仮想半径４ｂよりも短くなっている。なお、第一接合部３における接合面の上下方向の長さ及び第一仮想半径４ａには、第一本体折り曲げ部３ａ及び第一分割折り曲げ部３ｂの上下方向の長さは含まない。また、第二接合部５における接合面の上下方向の長さ及び第二仮想半径４ｂには、第二本体折り曲げ部５ａ及び第二分割折り曲げ部５ｂの上下方向の長さは含まない。
　【００３９】
　そして、ベルマウス部６は、ケーシング本体部１ａとケーシング分割部１ｂとの接合面の少なくとも一部を塞ぐものである。より具体的に、本実施の形態では、図４に示すように、ベルマウス部６の外径６ｅが、第一仮想半径４ａの二倍以上であり、かつ第二仮想半径４ｂの二倍より短くなっている。
　【００４０】
　ここで、第一仮想半径４ａの二倍の長さは、ケーシング本体部１ａとケーシング分割部１ｂとの一方の接合部である第一接合部３を基準とした外径に相当し、第二仮想半径４ｂの二倍の長さは、ケーシング本体部１ａとケーシング分割部１ｂとの他方の接合部である第二接合部５を基準とした外径に相当する。
　【００４１】
　このように、ファンケーシング１では、ケーシング本体部１ａとケーシング分割部１ｂとの接合面の少なくとも一部が、ベルマウス部６によって塞がれているため、ファン７の送風時における風漏れの発生を抑制することができる。
　【００４２】
　もっとも、ベルマウス部６の平面部６ｃの側面視における形状は、円環状に限らず、例えば、ベルマウス部６の第二接合部５側の仮想半径が、ベルマウス部６の第一接合部３側の仮想半径よりも長くなるような任意の形状とし、第一接合部３及び第二接合部５を全て覆うようにしてもよい。
　【００４３】
　ところで、第一本体折り曲げ部３ａと第一分割折り曲げ部３ｂとは、ネジ３ｓの締結力によって固定されており、第二本体折り曲げ部５ａと第二分割折り曲げ部５ｂとも、ネジ５ｓの締結力によって固定されている。また、本実施の形態では、ケーシング本体部１ａとケーシング分割部１ｂとの接合面のうち、ケーシング本体部１ａ及びケーシング分割部１ｂの側面で、かつ第一接合部３にあたる部分には、あらかじめ振動による接触のないレベルで隙間を設けている。これは、ケーシング本体部１ａの端面とケーシング分割部１ｂの端面とは、製作公差によって均一に接触しないことから、第一接合部３に上記隙間を設けなければ、送風時の振動による連続的な接触音が発生してしまうためである。すなわち、ファンケーシング１は、ケーシング本体部１ａとケーシング分割部１ｂとの接合面に、ケーシング本体部１ａの端面とケーシング分割部１ｂの端面とが送風時においても接触しない程度の僅かな隙間が設けられているため、連続的な接触音である異音の発生を抑えることができる。
　【００４４】
　しかしながら、送風時には、第一接合部３に設けられた隙間から風が漏れてしまう。この点、ファンケーシング１では、一体成形品であるベルマウス部６が、ケーシング本体部１ａ及びケーシング分割部１ｂによって形成される側面に配設され、第一接合部３に設けられた隙間は、ベルマウス部６の平面部６ｃが塞ぐように構成されている。このため、ファンケーシング１によれば、送風時の風漏れを防ぐことができる。すなわち、ベルマウス部６は、ファンケーシング１の風漏れ防止機能を有している。
　【００４５】
　また、第一分割折り曲げ部３ｂの端部には、第一本体折り曲げ部３ａの方向に向かって延びる係止部３ｃが設けられている。よって、ケーシング分割部１ｂを取り付ける際又は取り外す際に、係止部３ｃがケーシング本体部１ａに係止されるため、ケーシング分割部１ｂの脱落を抑制することができる。すなわち、ファンケーシング１によれば、メンテナンス時の安全性を高めると共に、ケーシング分割部１ｂの着脱時における作業性を向上することができる。
　【００４６】
　さらに、ケーシング分割部１ｂは、側面のうち、第二接合部５にあたる部分に、ケーシング本体部１ａの内面に重なるように形成された差込部５ｃを有している。すなわち、ケーシング分割部１ｂは、ケーシング本体部１ａとの接合部である第二接合部５にあたる部分に、ケーシング本体部１ａに向かって延び、ケーシング本体部１ａの内面に接する差込部５ｃを有している。このため、ケーシング本体部１ａにケーシング分割部１ｂを取り付けたとき、ベルマウス部６の取付面を面一にすることができると共に、送風時における風漏れを抑制することができる。
　【００４７】
　より具体的に、ケーシング分割部１ｂの下方における接合面と差込部５ｃとの境界部分には、側面側つまりベルマウス部６側に段差が形成されており、差込部５ｃは、ケーシング分割部１ｂの下方における接合面から突出するように設けられている。したがって、ケーシング本体部１ａとケーシング分割部１ｂとを接合させると、ケーシング本体部１ａの下方における接合部が、上記段差に嵌り、ケーシング分割部１ｂの下方における接合面及び差込部５ｃの側面側の面に当接する。これにより、ケーシング本体部１ａ及びケーシング分割部１ｂの第二接合部５における側面が面一の状態となる。
　【００４８】
　ところで、ケーシング本体部１ａに差込部５ｃを設けるようにしてもよいが、ファンケーシング１内における空気の流れ方向を考慮すると、ケーシング分割部１ｂ側に設ける方がより好ましい。なぜなら、ファンケーシング１内における空気は、ケーシング本体部１ａからケーシング分割部１ｂに向かって流れるため、ケーシング本体部１ａに差込部５ｃを設けた場合は、当該差込部５ｃの先端面が抵抗となり、騒音の発生原因となるためである。すなわち、ファンケーシング１は、差込部５ｃをケーシング分割部１ｂ側に有するため、差込部５ｃに起因した騒音の発生を回避することができる。
　【００４９】
　なお、上述の通り、ベルマウス部６の外径６ｅは、第二仮想半径４ｂの二倍よりも短くなっているが、本実施の形態では、ケーシング分割部１ｂに差込部５ｃが設けられている。よって、ファンケーシング１によれば、ケーシング本体部１ａとケーシング分割部１ｂとの接合面のうち、ベルマウス部６によって覆われていない部分からの風漏れを防ぐことができるため、送風時における風切り音の発生を抑えることができる。
　【００５０】
　以上のように、ファンケーシング１において、吸込口４には、ベルマウス部６が、ケーシング本体部１ａ及びケーシング分割部１ｂとは別部品として設けられている。すなわちベルマウス部６は、その縁が、開口部６ａの軸方向及びファンケーシング１の内側に向かって円弧状の断面となるように一体成形されたものである。そして、ベルマウス部６は、ケーシング本体部１ａ及びケーシング分割部１ｂから分離可能に構成されている。したがって、ファンケーシング１には、従来の分割構造にみられる接合面のずれによって生じるエッジ部がないため、送風による風切り音の発生を抑えることができる。
　【００５１】
　また、ファンケーシング１は、第一接合部３と第二接合部５とにおいて、ケーシング本体部１ａとケーシング分割部１ｂとに分離可能となっている。そして、ケーシング本体部１ａのみが、前側フレーム２０及び後側フレーム２１に固定される構造となっている。さらに、モータ取付板２２は、モータ台２３に対して、前側はネジ止めにより固定でき、後ろ側はピンによる係止で固定できる構造となっている。このため、ファン７のメンテナンス時には、ベルマウス部６のネジ６ｓを取り外した上で、第一本体折り曲げ部３ａと第一分割折り曲げ部３ｂとを固定しているネジ３ｓと、第二本体折り曲げ部５ａと第二分割折り曲げ部５ｂとを固定しているネジ５ｓとを取り外せば、ケーシング分割部１ｂのみを取り外すことができる。また、ファン７及びモータ８のメンテナンス時においては、ネジ３ｓ及びネジ５ｓと共に、モータ台２３にモータ取付板２２を固定する前側のネジ及び後側のピンを取り外すだけで、ファンケーシング１の全てを取り外すことなく、ファン７及びモータ８を取り外すことができる。すなわち、ファンケーシング１によれば、メンテナンス性の向上を図ることができる。
　【００５２】
　さらに、筐体１１は、ケーシング分割部１ｂを保持する部材を有していないため、ケーシング分割部１ｂを支えるための構成部材を有していなければ、ケーシング分割部１ｂの着脱時に、ケーシング分割部１ｂを脱落させ、ケーシング分割部１ｂ及び筐体１１内の構成部材を破損させるおそれがある。この点、ケーシング分割部１ｂは、係止部３ｃを有しており、ケーシング分割部１ｂの着脱時には、係止部３ｃがケーシング本体部１ａに係止されるため、ケーシング分割部１ｂを脱落に起因した各構成部材の破損等のリスクを低減することができる。
　【００５３】
　また、ファンケーシング１の側面の第一接合部３にあたる部分には、振動により接触しない程度の隙間が設けられていることから、ケーシング本体部１ａの端面とケーシング分割部１ｂの端面とが送風時においても接触しないため、異音の発生を抑制することができる。そして、ファンケーシング１は、一体成形品であるベルマウス部６が、第一接合部３に設けられた隙間を覆うように構成されているため、送風時における当該隙間からの風漏れを防ぐことができる。
　【００５４】
　加えて、ケーシング分割部１ｂの第二接合部５にあたる部分には、ケーシング本体部１ａの内面に重なるように突出した差込部５ｃが設けられている。このため、ファンケーシング１によれば、送風時における風漏れ及び風漏れによる音を抑制することができる。
　【００５５】
　上記実施の形態は、空気調和装置における好適な具体例であり、本発明の技術的範囲は、これらの態様に限定されるものではない。例えば、上記実施の形態では、ファン７が両吸込形のシロッコファンであり、ケーシング本体部１ａ及びケーシング分割部１ｂによって二つの吸込口４が形成されている場合を例示したが、これに限定されるものではない。すなわち、例えば、ファン７として片吸込形のシロッコファンを採用し、ケーシング本体部１ａ及びケーシング分割部１ｂによって、一方の側面のみに吸込口４が形成されるようにしてもよい。かかる構成を採った場合、ファンケーシング１は、一つの吸込口４に配設する一つのベルマウス部６を有していればよい。また、ファン７として片吸込形のシロッコファンを採用し、ケーシング本体部１ａ及びケーシング分割部１ｂによって、一方の側面に吸込口４を形成し、他方の側面にモータ８の連結用の開口を設けたような場合にも、ファンケーシング１が、一つの吸込口４に配設する一つのベルマウス部６を有するようにしてもよい。
　【００５６】
　加えて、上記実施の形態では、吸込口４の径、ファン７の外径、ベルマウス部６の開口径６ｄの順に小さくなっている構成を例示したが、これに限らず、例えば、ベルマウス部６の開口径６ｄは、ファン７の外径より大きくてもよい。また、吸込口４の径は、ファン７の外径より小さくてもよい。
　【００５７】
　また、上記実施の形態では、室内機１０が被調和室内の床面に配置された場合を例に説明したが、これに限らず、室内機１０は、被調和室内の天井部又は天井裏部などに配置するようにしてもよい。併せて、図１〜図５を用いての説明では、便宜上、上方向と下方向とを特定したが、これに限らず、ファンケーシング１は、室内機１０の構成に応じて、配置する方向を適宜変更することができる。
　【００５８】
　さらに、上記実施の形態では、室内機１０が、送風に関する構成部品であるファンケーシング１、ベルマウス部６、ファン７、及びモータ８を一式しか備えていない場合を例示したが、これに限定されるものではない。すなわち、上記実施の形態では、筐体１１内に、送風に関する構成部品を一式そろえて構成された送風機が一台だけ配設された例を示しているが、室内機１０は、複数の送風機を有していてもよい。例えば、室内機１０は、筐体１１内の左右方向に、複数の送風機を並べて配設するようにしても、上記同様の効果を得ることができる。また、ファンケーシング１は、室外機として機能する熱源機に設けるようにしてもよく、すなわち、ファンケーシング１は、例えば、熱源機内のファンを収容するファンケーシングとして適用してもよい。
　【００５９】
　また、第一本体折り曲げ部３ａ及び第一分割折り曲げ部３ｂが吹出口２の軸方向に沿って延びている場合を例示したが、これに限定されるものではない。すなわち、第一本体折り曲げ部３ａ及び第一分割折り曲げ部３ｂは、ケーシング本体部１ａにケーシング分割部１ｂを当接させたときに、第一本体折り曲げ部３ａと第一分割折り曲げ部３ｂとが平行となる限り、任意の方向に突出させることができる。同様に、第二本体折り曲げ部５ａ及び第二分割折り曲げ部５ｂは、ケーシング本体部１ａにケーシング分割部１ｂを当接させたときに、第二本体折り曲げ部５ａと第二分割折り曲げ部５ｂとが平行となる限り、任意の方向に突出させることができる。もっとも、ケーシング本体部１ａとケーシング分割部１ｂとは、ネジ３ｓ及びネジ５ｓによって固定されるため、第一本体折り曲げ部３ａ及び第一分割折り曲げ部３ｂと、第二本体折り曲げ部５ａ及び第二分割折り曲げ部５ｂとは、ケーシング本体部１ａ及びケーシング分割部１ｂの外周に対して垂直に突起させるようにするとよい。
　【符号の説明】
　【００６０】
　１　ファンケーシング、１ａ　ケーシング本体部、１ｂ　ケーシング分割部、１ｆ　固定部材、２　吹出口、３　第一接合部、３ａ　第一本体折り曲げ部、３ｂ　第一分割折り曲げ部、３ｃ　係止部、３ｈ、５ｈ、６ｈ　ネジ穴、３ｓ、５ｓ、６ｓ　ネジ、４　吸込口、４ａ　第一仮想半径、４ｂ　第二仮想半径、５　第二接合部、５ａ　第二本体折り曲げ部、５ｂ　第二分割折り曲げ部、５ｃ　差込部、６　ベルマウス部、６ａ　開口部、６ｂ　内径部、６ｃ　平面部、６ｄ　開口径、６ｅ　外径、７　ファン、７ａ　羽根、８　モータ、１０　室内機、１１　筐体、１２　吹出部、１３　前側吸込部、１４　後側吸込部、１５　吹出フランジ、１６　ドレン受け、１７　ドレン導水部、１８　ドレンパン、１８ａ　ドレン口、１９　天パネル、２０　前側フレーム、２１　後側フレーム、２２　モータ取付板、２３　モータ台、２４　右側面パネル、２５　左側面パネル、３０　熱交換器。
（５７）【特許請求の範囲】
　【請求項１】
　ファンと、
　前記ファンを収容し、空気を給気する吸込口及び前記吸込口から給気された前記空気を吹き出す吹出口が形成されたファンケーシングと、
　前記ファンによって流動する前記空気が通過する熱交換器と、
　前記空気の吹出部及び吸込部が形成され、前記ファンを収容した前記ファンケーシング及び前記熱交換器が内部に設けられた筐体と、
を有し、
　前記ファンケーシングは、
　前記筐体に固定されるケーシング本体部と、
　前記ケーシング本体部に固定されるケーシング分割部と、
　前記ケーシング本体部及び前記ケーシング分割部によって形成される前記吸込口に配設された一体成形品であるベルマウス部とを具備し、
　
前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され、
　前記ベルマウス部は、前記ケーシング本体部と前記ケーシング分割部との接合面の少なくとも一部を塞ぐものである、空気調和装置。
　【請求項２】
　前記ケーシング本体部に前記吹出口が形成された、請求項１に記載の空気調和装置。
　【請求項３】
　ファンと、
　前記ファンを収容し、空気を給気する吸込口及び前記吸込口から給気された前記空気を吹き出す吹出口が形成されたファンケーシングと、
　前記ファンによって流動する前記空気が通過する熱交換器と、
　前記空気の吹出部及び吸込部が形成され、前記ファンを収容した前記ファンケーシング及び前記熱交換器が内部に設けられた筐体と、
を有し、
　前記ファンケーシングは、
　前記筐体に固定されるケーシング本体部と、
　前記ケーシング本体部に固定されるケーシング分割部と、
　前記ケーシング本体部及び前記ケーシング分割部によって形成される前記吸込口に配設された一体成形品であるベルマウス部とを具備し、
　前記ベルマウス部は、前記ケーシング本体部と前記ケーシング分割部との接合面の少なくとも一部を塞ぐものであり、
　前記ファンの外径は、前記吸込口の径よりも小さ
い、
　【請求項４】
　ファンと、
　前記ファンを収容し、空気を給気する吸込口及び前記吸込口から給気された前記空気を吹き出す吹出口が形成されたファンケーシングと、
　前記ファンによって流動する前記空気が通過する熱交換器と、
　前記空気の吹出部及び吸込部が形成され、前記ファンを収容した前記ファンケーシング及び前記熱交換器が内部に設けられた筐体と、
を有し、
　前記ファンケーシングは、
　前記筐体に固定されるケーシング本体部と、
　前記ケーシング本体部に固定されるケーシング分割部と、
　前記ケーシング本体部及び前記ケーシング分割部によって形成される前記吸込口に配設された一体成形品であるベルマウス部とを具備し、
　前記ベルマウス部は、前記ケーシング本体部と前記ケーシング分割部との接合面の少なくとも一部を塞ぐものであり、
　前記ベルマウス部の開口径は、前記ファンの外径よりも小さ
い、
　【請求項５】
　ファンと、
　前記ファンを収容し、空気を給気する吸込口及び前記吸込口から給気された前記空気を吹き出す吹出口が形成されたファンケーシングと、
　前記ファンによって流動する前記空気が通過する熱交換器と、
　前記空気の吹出部及び吸込部が形成され、前記ファンを収容した前記ファンケーシング及び前記熱交換器が内部に設けられた筐体と、
を有し、
　前記ファンケーシングは、
　前記筐体に固定されるケーシング本体部と、
　前記ケーシング本体部に固定されるケーシング分割部と、
　前記ケーシング本体部及び前記ケーシング分割部によって形成される前記吸込口に配設された一体成形品であるベルマウス部とを具備し、
　前記ベルマウス部は、前記ケーシング本体部と前記ケーシング分割部との接合面の少なくとも一部を塞ぐものであり、
　前記ケーシング本体部の上部に前記吹出口が形成され、
　前記ケーシング本体部と前記ケーシング分割部とは、
第一接合部及び第二接合部の
　前記ベルマウス部は２つであり、前記吸込口は、前記ケーシング本体部及び前記ケーシング分割部の一方の側面と他方の側面とに形成され、前記一方の側面に形成された前記吸込口に一方の前記ベルマウス部が配設され、かつ前記他方の側面に形成された前記吸込口に他方の前記ベルマウス部が配設され、
　前記ベルマウス部の外径は、前記ケーシング本体部と前記ケーシング分割部との接合部のうちの少なくとも一方を基準とした外径以上の長さであ
り、
　前記接合部のうち、前記第二接合部は、前記吸込み口の下部に設けられ、前記第一接合部は前記吹出口の近傍であり、前記吸込み口の上部に設けられ、前記第二接合部よりも前記吹出口に近い位置に設けられる、
　【請求項６】
　前記ケーシング分割部は、前記ケーシング本体部との接合部に、前記ケーシング本体部に向かって延び、前記ケーシング本体部の内面に接する差込部を有する請求項１〜５の何れか一項に記載の空気調和装置。
　【請求項７】
　前記ケーシング分割部は、
　上端部にフランジ状の折り曲げ部を有すると共に、
　前記折り曲げ部の上端部から前記ケーシング本体部に向かって延びる係止部を有する請求項１〜６の何れか一項に記載の空気調和装置。